(57)【要約】【課題】分岐ブレーカの部品点数の増加を抑えながらも分岐回路の種類を判定することができる回路判定システム、回路判定方法、及びプログラムを提供する。【解決手段】回路判定システムは、計測装置２と、判定装置３とを備える。計測装置２は、少なくとも第１電圧線４１を流れる第１電流Ｉ１及び第２電圧線４２を流れる第２電流Ｉ２の各々を計測する。判定装置３は、計測装置２の計測結果を用いて、少なくとも複数の分岐回路５の各々が、第１分岐回路及び第２分岐回路と第３分岐回路とのどちらであるかを判定する。このとき、判定装置３は、第１期間と第２期間との間で生じる電流の変化を電流変化とし、第１電流Ｉ１の電流変化と、第２電流Ｉ２の電流変化とが一致するか否かによって、複数の分岐回路５の各々の種類を判定する。【選択図】図１
2018085829.tif 000002
【特許請求の範囲】
【請求項１】
第１電線と第２電線と第３電線とを有する電力線に電気的に接続され、前記電力線からの電力を複数の分岐回路に分配する分電盤に用いられ、
前記複数の分岐回路には、前記第１電線及び前記第３電線に電気的に接続された第１分岐回路と、前記第２電線及び前記第３電線に電気的に接続された第２分岐回路と、前記第１電線及び前記第２電線に電気的に接続された第３分岐回路との３種類があって、
少なくとも前記第１電線を流れる第１電流及び前記第２電線を流れる第２電流の各々を計測する計測装置と、
前記計測装置の計測結果を用いて、第１期間と第２期間との間で生じる電流の変化を電流変化とし、前記第１電流の前記電流変化と前記第２電流の前記電流変化とが一致するか否かによって、少なくとも前記複数の分岐回路の各々が前記第１分岐回路及び前記第２分岐回路と前記第３分岐回路とのどちらであるかを判定する判定装置とを備える
ことを特徴とする回路判定システム。
【請求項２】
第１電線と第２電線と第３電線とを有する電力線に電気的に接続され、前記電力線からの電力を複数の分岐回路に分配する分電盤に用いられ、
前記複数の分岐回路には、前記第１電線及び前記第３電線に電気的に接続された第１分岐回路と、前記第２電線及び前記第３電線に電気的に接続された第２分岐回路と、前記第１電線及び前記第２電線に電気的に接続された第３分岐回路との３種類があって、
前記第１電線を流れる第１電流、前記第２電線を流れる第２電流、及び前記複数の分岐回路の各々を流れる分岐電流を計測する計測装置と、
前記計測装置の計測結果を用いて、前記複数の分岐回路の各々の前記分岐電流の特徴量が、前記第１電流及び前記第２電流の両方に含まれているか否かによって、少なくとも前記複数の分岐回路の各々が前記第１分岐回路及び前記第２分岐回路と前記第３分岐回路とのどちらであるかを判定する判定処理を行う判定装置とを備える
ことを特徴とする回路判定システム。
【請求項３】
前記計測装置は、前記複数の分岐回路の各々を流れる分岐電流を更に計測するように構成されており、
前記判定装置は、前記複数の分岐回路のうち、前記第１電流の前記電流変化と前記第２電流の前記電流変化とが一致しない分岐回路について、前記分岐電流の前記電流変化が前記第１電流の前記電流変化及び前記第２電流の前記電流変化のいずれに一致するかによって、前記第１分岐回路と前記第２分岐回路とのどちらであるかを判定するように構成されている
ことを特徴とする請求項１に記載の回路判定システム。
【請求項４】
前記判定装置は、第１期間と第２期間との間で生じる電流の変化を電流変化とし、前記複数の分岐回路のうち、前記第１電流の前記電流変化と前記第２電流の前記電流変化とが一致しない分岐回路について、前記分岐電流の前記電流変化が前記第１電流の前記電流変化及び前記第２電流の前記電流変化のいずれに一致するかによって、前記第１分岐回路と前記第２分岐回路とのどちらであるかを判定するように構成されている
ことを特徴とする請求項２に記載の回路判定システム。
【請求項５】
前記計測装置は、前記複数の分岐回路の各々を流れる分岐電流を更に計測するように構成されており、
前記判定装置は、前記複数の分岐回路のうち、前記第１電流の前記電流変化と前記第２電流の前記電流変化とが一致しない分岐回路について、前記分岐電流に基づいて算出される電力の正負によって、前記第１分岐回路と前記第２分岐回路とのどちらであるかを判定するように構成されている
ことを特徴とする請求項１又は２に記載の回路判定システム。
【請求項６】
前記判定装置は、前記複数の分岐回路のうち、前記第１電流の前記電流変化と前記第２電流の前記電流変化とが一致しない分岐回路について、前記分岐電流の前記電流変化が前記第１電流の前記電流変化と一致していれば、前記第１分岐回路であると判定するように構成されている
ことを特徴とする請求項１又は３に記載の回路判定システム。
【請求項７】
前記判定装置は、前記複数の分岐回路のうち、前記第１電流の前記電流変化と前記第２電流の前記電流変化とが一致しない分岐回路について、前記分岐電流の前記電流変化が前記第２電流の前記電流変化と一致していれば、前記第２分岐回路であると判定するように構成されている
ことを特徴とする請求項１又は３に記載の回路判定システム。
【請求項８】
前記判定装置は、前記複数の分岐回路のうち、前記第１電流の前記電流変化と前記第２電流の前記電流変化とが一致する分岐回路について、前記分岐電流の前記電流変化が前記第１電流の前記電流変化及び前記第２電流の前記電流変化の両方と一致していれば、前記第３分岐回路であると判定するように構成されている
ことを特徴とする請求項６又は７に記載の回路判定システム。
【請求項９】
前記判定装置は、前記第１電流の前記電流変化と前記第２電流の前記電流変化とが一致する場合、前記複数の分岐回路のうち前記分岐電流の大きな分岐回路から順に、前記第３分岐回路か否かを判定するように構成されている
ことを特徴とする請求項８に記載の回路判定システム。
【請求項１０】
前記判定装置は、前記複数の分岐回路のうち前記分岐電流が所定の閾値以下の分岐回路については、前記第３分岐回路であるとの判定を無効にするように構成されている
ことを特徴とする請求項８に記載の回路判定システム。
【請求項１１】
前記電流変化は、前記第１期間と前記第２期間との間で生じる電流の実効値の変化である
ことを特徴とする請求項１、３、６〜１０のいずれか１項に記載の回路判定システム。
【請求項１２】
前記電流変化は、前記第１期間と前記第２期間との間で生じる電流の周波数の変化である
ことを特徴とする請求項１、３、６〜１０のいずれか１項に記載の回路判定システム。
【請求項１３】
前記電流変化は、前記第１期間と前記第２期間との間で生じる電流波形の波高値の変化である
ことを特徴とする請求項１、３、６〜１０のいずれか１項に記載の回路判定システム。
【請求項１４】
前記電流変化は、前記第１期間と前記第２期間との間で生じる電流波形の特徴量の変化である
ことを特徴とする請求項１、３、６〜１０のいずれか１項に記載の回路判定システム。
【請求項１５】
前記第１期間及び前記第２期間は、前記電力線の電圧波形に同期して設定される
ことを特徴とする請求項１、３、６〜１４のいずれか１項に記載の回路判定システム。
【請求項１６】
前記複数の分岐回路の各々について前記第１分岐回路と前記第２分岐回路と前記第３分岐回路とのいずれであるかを記憶する記憶装置と、
前記判定装置の判定結果を前記記憶装置に書き込む設定装置とを更に備える
ことを特徴とする請求項１、３、６〜１５のいずれか１項に記載の回路判定システム。
【請求項１７】
前記判定装置は、前記複数の分岐回路のうち、前記分岐電流の特徴量が前記第１電流のみに含まれている分岐回路について、前記第１分岐回路であると判定するように構成されている
ことを特徴とする請求項２又は４に記載の回路判定システム。
【請求項１８】
前記判定装置は、前記複数の分岐回路のうち、前記分岐電流の特徴量が前記第２電流のみに含まれている分岐回路について、前記第２分岐回路であると判定するように構成されている
ことを特徴とする請求項２又は４に記載の回路判定システム。
【請求項１９】
前記判定装置は、前記複数の分岐回路のうち、前記分岐電流の特徴量が前記第１電流及び前記第２電流の両方に含まれている分岐回路について、前記第３分岐回路であると判定するように構成されている
ことを特徴とする請求項１７又は１８に記載の回路判定システム。
【請求項２０】
前記第１電流の特徴量、前記第２電流の特徴量及び前記分岐電流の特徴量は、電流の周波数スペクトルである
ことを特徴とする請求項２、４、１７〜１９のいずれか１項に記載の回路判定システム。
【請求項２１】
前記判定処理を複数回行う
ことを特徴とする請求項２、４、１７〜２０のいずれか１項に記載の回路判定システム。
【請求項２２】
第１電線と第２電線と第３電線とを有する電力線に電気的に接続され、前記電力線からの電力を複数の分岐回路に分配する分電盤に用いられ、
前記複数の分岐回路の各々が、前記第１電線及び前記第３電線に電気的に接続された第１分岐回路と、前記第２電線及び前記第３電線に電気的に接続された第２分岐回路と、前記第１電線及び前記第２電線に電気的に接続された第３分岐回路とのいずれであるかを判定する回路判定方法であって、
少なくとも前記第１電線を流れる第１電流及び前記第２電線を流れる第２電流の各々を計測する計測装置の計測結果を用いて、第１期間と第２期間とで生じる電流の変化を電流変化とし、前記第１電流の前記電流変化と前記第２電流の前記電流変化とが一致するか否かによって、少なくとも前記複数の分岐回路の各々が前記第１分岐回路及び前記第２分岐回路と前記第３分岐回路とのどちらであるかを判定する判定ステップを含む
ことを特徴とする回路判定方法。
【請求項２３】
第１電線と第２電線と第３電線とを有する電力線に電気的に接続され、前記電力線からの電力を複数の分岐回路に分配する分電盤に用いられ、
前記複数の分岐回路の各々が、前記第１電線及び前記第３電線に電気的に接続された第１分岐回路と、前記第２電線及び前記第３電線に電気的に接続された第２分岐回路と、前記第１電線及び前記第２電線に電気的に接続された第３分岐回路とのいずれであるかを判定する回路判定方法であって、
前記第１電線を流れる第１電流、前記第２電線を流れる第２電流、及び前記複数の分岐回路の各々を流れる分岐電流を計測する計測装置の計測結果を用いて、前記複数の分岐回路の各々の前記分岐電流の特徴量が、前記第１電流及び前記第２電流の両方に含まれているか否かによって、少なくとも前記複数の分岐回路の各々が前記第１分岐回路及び前記第２分岐回路と前記第３分岐回路とのどちらであるかを判定する判定ステップを含む
ことを特徴とする回路判定方法。
【請求項２４】
第１電線と第２電線と第３電線とを有する電力線に電気的に接続される分電盤であって、前記第１電線及び前記第３電線に電気的に接続された第１分岐回路と、前記第２電線及び前記第３電線に電気的に接続された第２分岐回路と、前記第１電線及び前記第２電線に電気的に接続された第３分岐回路との３種類に分類される複数の分岐回路に、前記電力線からの電力を分配する分電盤とともに用いられるコンピュータに、
少なくとも前記第１電線を流れる第１電流及び前記第２電線を流れる第２電流の各々を計測する計測装置の計測結果を用いて、第１期間と第２期間とで生じる電流の変化を電流変化とし、前記第１電流の前記電流変化と前記第２電流の前記電流変化とが一致するか否かによって、少なくとも前記複数の分岐回路の各々が前記第１分岐回路及び前記第２分岐回路と前記第３分岐回路とのどちらであるかを判定する判定処理を実行させるためのプログラム。
【請求項２５】
第１電線と第２電線と第３電線とを有する電力線に電気的に接続される分電盤であって、前記第１電線及び前記第３電線に電気的に接続された第１分岐回路と、前記第２電線及び前記第３電線に電気的に接続された第２分岐回路と、前記第１電線及び前記第２電線に電気的に接続された第３分岐回路との３種類に分類される複数の分岐回路に、前記電力線からの電力を分配する分電盤とともに用いられるコンピュータに、
前記第１電線を流れる第１電流、前記第２電線を流れる第２電流、及び前記複数の分岐回路の各々を流れる分岐電流を計測する計測装置の計測結果を用いて、前記複数の分岐回路の各々の前記分岐電流の特徴量が、前記第１電流及び前記第２電流の両方に含まれているか否かによって、少なくとも前記複数の分岐回路の各々が前記第１分岐回路及び前記第２分岐回路と前記第３分岐回路とのどちらであるかを判定する判定処理を実行させるためのプログラム。
【発明の詳細な説明】
【技術分野】
【０００１】
本発明は、一般に回路判定システム、回路判定方法、及びプログラムに関し、より詳細には、第１電線と第２電線と第３電線とを有する電力線に接続された分電盤に用いられる回路判定システム、回路判定方法、及びプログラムに関する。
【背景技術】
【０００２】
従来、分電盤における複数の分岐ブレーカ（配線用遮断器）の種類を特定する識別情報を、各分岐ブレーカに接続される分岐回路に関連付けて記憶するメモリ媒体を備えたエネルギ管理システムが提案されている（例えば特許文献１参照）。ここで、分岐回路（分岐ブレーカ）の種類には、「電圧」（１００〔Ｖ〕又は２００〔Ｖ〕）が含まれている。このエネルギ管理システムでは、計測した電流に基づいて使用電力を算出する際に、メモリ媒体に記憶されている分岐回路の種類（「電圧」）が使用される。
【０００３】
特許文献１に記載のシステムでは、分電盤に装填された複数の分岐ブレーカの各々から識別情報を読み出して、メモリ媒体に書き込むリード／ライト回路が設けられている。リード／ライト回路は、各分岐ブレーカに設けられているＲＦ（Radio Frequency）タグなどの情報担体から、識別情報を示す信号を、接触又は非接触で読み出す検出部を有している。
【先行技術文献】
【特許文献】
【０００４】
【特許文献１】特開２０１５−８９２３２号公報
【発明の概要】
【発明が解決しようとする課題】
【０００５】
特許文献１に記載の構成では、各分岐ブレーカに情報担体が設けられているため、一般的な分岐ブレーカに比べると、情報担体の分だけ分岐ブレーカの部品点数が増えることになる。特に、分岐回路の数が多くなると、その分だけ情報担体の数も増加し、分電盤全体として部品点数の大幅な増加につながる可能性がある。
【０００６】
本発明は上記課題に鑑みてなされており、分岐ブレーカの部品点数の増加を抑えながらも分岐回路の種類を判定することができる回路判定システム、回路判定方法、及びプログラムを提供することを目的とする。
【課題を解決するための手段】
【０００７】
本発明の一態様に係る回路判定システムは、第１電線と第２電線と第３電線とを有する電力線に電気的に接続され、前記電力線からの電力を複数の分岐回路に分配する分電盤に用いられる。前記複数の分岐回路には、前記第１電線及び前記第３電線に電気的に接続された第１分岐回路と、前記第２電線及び前記第３電線に電気的に接続された第２分岐回路と、前記第１電線及び前記第２電線に電気的に接続された第３分岐回路との３種類がある。前記回路判定システムは、計測装置と、判定装置とを備える。前記計測装置は、少なくとも前記第１電線を流れる第１電流及び前記第２電線を流れる第２電流の各々を計測する。前記判定装置は、前記計測装置の計測結果を用いて、少なくとも前記複数の分岐回路の各々が前記第１分岐回路及び前記第２分岐回路と前記第３分岐回路とのどちらであるかを判定する。前記判定装置は、第１期間と第２期間との間で生じる電流の変化を電流変化とし、前記第１電流の前記電流変化と前記第２電流の前記電流変化とが一致するか否かによって、前記複数の分岐回路の各々の種類を判定する。
【０００８】
また、本発明の一態様に係る回路判定システムは、第１電線と第２電線と第３電線とを有する電力線に電気的に接続され、前記電力線からの電力を複数の分岐回路に分配する分電盤に用いられる。前記複数の分岐回路には、前記第１電線及び前記第３電線に電気的に接続された第１分岐回路と、前記第２電線及び前記第３電線に電気的に接続された第２分岐回路と、前記第１電線及び前記第２電線に電気的に接続された第３分岐回路との３種類がある。前記回路判定システムは、計測装置と、判定装置とを備える。前記計測装置は、前記第１電線を流れる第１電流、前記第２電線を流れる第２電流、及び前記複数の分岐回路の各々を流れる分岐電流を計測する。前記判定装置は、前記計測装置の計測結果を用いて、少なくとも前記複数の分岐回路の各々が前記第１分岐回路及び前記第２分岐回路と前記第３分岐回路とのどちらであるかを判定する判定処理を行う。前記判定装置は、前記複数の分岐回路の各々の前記分岐電流の特徴量が、前記第１電流及び前記第２電流の両方に含まれているか否かによって、前記複数の分岐回路の各々の種類を判定する。
【０００９】
本発明の一態様に係る回路判定方法は、第１電線と第２電線と第３電線とを有する電力線に電気的に接続され、前記電力線からの電力を複数の分岐回路に分配する分電盤に用いられる。前記回路判定方法は、前記複数の分岐回路の各々が、第１分岐回路と第２分岐回路と第３分岐回路とのいずれであるかを判定する方法である。前記第１分岐回路は、前記第１電線及び前記第３電線に電気的に接続される。前記第２分岐回路は、前記第２電線及び前記第３電線に電気的に接続される。前記第３分岐回路は、前記第１電線及び前記第２電線に電気的に接続される。前記回路判定方法は、計測装置の計測結果を用いて、少なくとも前記複数の分岐回路の各々が前記第１分岐回路及び前記第２分岐回路と前記第３分岐回路とのどちらであるかを判定する判定ステップを含む。前記計測装置は、少なくとも前記第１電線を流れる第１電流及び前記第２電線を流れる第２電流の各々を計測する。前記判定ステップでは、第１期間と第２期間とで生じる電流の変化を電流変化とし、前記第１電流の前記電流変化と前記第２電流の前記電流変化とが一致するか否かによって、前記複数の分岐回路の各々の種類を判定する。
【００１０】
また、本発明の一態様に係る回路判定方法は、第１電線と第２電線と第３電線とを有する電力線に電気的に接続され、前記電力線からの電力を複数の分岐回路に分配する分電盤に用いられる。前記回路判定方法は、前記複数の分岐回路の各々が、第１分岐回路と第２分岐回路と第３分岐回路とのいずれであるかを判定する方法である。前記第１分岐回路は、前記第１電線及び前記第３電線に電気的に接続される。前記第２分岐回路は、前記第２電線及び前記第３電線に電気的に接続される。前記第３分岐回路は、前記第１電線及び前記第２電線に電気的に接続される。前記回路判定方法は、計測装置の計測結果を用いて、少なくとも前記複数の分岐回路の各々が前記第１分岐回路及び前記第２分岐回路と前記第３分岐回路とのどちらであるかを判定する判定ステップを含む。前記計測装置は、前記第１電線を流れる第１電流、前記第２電線を流れる第２電流、及び前記複数の分岐回路の各々を流れる分岐電流を計測する。前記判定ステップでは、前記複数の分岐回路の各々の前記分岐電流の特徴量が、前記第１電流及び前記第２電流の両方に含まれているか否かによって、前記複数の分岐回路の各々の種類を判定する。
【００１１】
本発明の一態様に係るプログラムは、第１電線と第２電線と第３電線とを有する電力線に電気的に接続される分電盤であって、前記電力線からの電力を複数の分岐回路に分配する分電盤とともに用いられるコンピュータに判定処理を実行させる。前記複数の分岐回路は、前記第１電線及び前記第３電線に電気的に接続された第１分岐回路と、前記第２電線及び前記第３電線に電気的に接続された第２分岐回路と、前記第１電線及び前記第２電線に電気的に接続された第３分岐回路との３種類に分類される。前記判定処理では、計測装置の計測結果を用いて、少なくとも前記複数の分岐回路の各々が前記第１分岐回路及び前記第２分岐回路と前記第３分岐回路とのどちらであるかを判定する。前記計測装置は、少なくとも前記第１電線を流れる第１電流及び前記第２電線を流れる第２電流の各々を計測する。前記判定処理では、第１期間と第２期間とで生じる電流の変化を電流変化とし、前記第１電流の前記電流変化と前記第２電流の前記電流変化とが一致するか否かによって、前記複数の分岐回路の各々の種類を判定する。
【００１２】
また、本発明の一態様に係るプログラムは、第１電線と第２電線と第３電線とを有する電力線に電気的に接続される分電盤であって、前記電力線からの電力を複数の分岐回路に分配する分電盤とともに用いられるコンピュータに判定処理を実行させる。前記複数の分岐回路は、前記第１電線及び前記第３電線に電気的に接続された第１分岐回路と、前記第２電線及び前記第３電線に電気的に接続された第２分岐回路と、前記第１電線及び前記第２電線に電気的に接続された第３分岐回路との３種類に分類される。前記判定処理では、計測装置の計測結果を用いて、少なくとも前記複数の分岐回路の各々が前記第１分岐回路及び前記第２分岐回路と前記第３分岐回路とのどちらであるかを判定する。前記計測装置は、前記第１電線を流れる第１電流、前記第２電線を流れる第２電流、及び前記複数の分岐回路の各々を流れる分岐電流を計測する。前記判定処理では、前記複数の分岐回路の各々の前記分岐電流の特徴量が、前記第１電流及び前記第２電流の両方に含まれているか否かによって、前記複数の分岐回路の各々の種類を判定する。
【発明の効果】
【００１３】
本発明によれば、分岐ブレーカの部品点数の増加を抑えながらも分岐回路の種類を判定することができる。
【図面の簡単な説明】
【００１４】
【図１】図１は、本発明の実施形態１に係る回路判定システムの構成を示すブロック図である。
【図２】図２は、本発明の実施形態１に係る分電盤の構成を示すブロック図である。
【図３】図３Ａは、第１分岐回路の通電状態がオフからオンに変化した場合の電流波形を表す波形図である。図３Ｂは、第１期間と第２期間との差分波形を表す波形図である。
【図４】図４Ａは、第２分岐回路の通電状態がオフからオンに変化した場合の電流波形を表す波形図である。図４Ｂは、第１期間と第２期間との差分波形を表す波形図である。
【図５】図５Ａは、第３分岐回路の通電状態がオフからオンに変化した場合の電流波形を表す波形図である。図５Ｂは、第１期間と第２期間との差分波形を表す波形図である。
【図６】図６Ａは、第３分岐回路の通電状態がオンからオフに変化した場合の電流波形を表す波形図である。図６Ｂは、第１期間と第２期間との差分波形を表す波形図である。
【図７】図７Ａは、本発明の実施形態１の第１変形例に係る回路判定システムの構成を示す概略回路図である。図７Ｂは、図７Ａの等価回路を示す概略回路図である。
【図８】図８は、本発明の実施形態１の第２変形例に係る回路判定システムの動作を説明するための説明図である。
【図９】図９Ａ〜図９Ｃは、同上の回路判定システムの動作を説明するための別の説明図である。
【図１０】図１０は、本発明の実施形態２に係る分電盤の第３分岐回路の通電状態がオフからオンに変化した場合の電流波形を表す波形図である。
【図１１】図１１Ａは、第１電線を流れる第１電流の周波数ごとの強さを表したグラフである。図１１Ｂは、第２電線を流れる第２電流の周波数ごとの強さを表したグラフである。図１１Ｃは、第３分岐回路を流れる分岐電流の周波数ごとの強さを表したグラフである。
【図１２】図１２は、本発明の実施形態２の第１変形例に係る分電盤の分岐回路に接続された負荷の電流波形を表す波形図である。
【発明を実施するための形態】
【００１５】
（実施形態１）
（１．１）全体概要
本実施形態に係る回路判定システムは、分電盤に用いられ、複数の分岐回路の各々の種類を判定するためのシステムである。
【００１６】
例えば単相三線式の配電方式であれば、分電盤は、図１に示すように、第１電圧線（Ｌ１相）４１と第２電圧線（Ｌ２相）４２と中性線（Ｎ相）４３とを有する電力線４に電気的に接続される。この場合、第１電圧線４１は「第１電線」を構成し、第２電圧線４２は「第２電線」を構成し、中性線４３は「第３電線」を構成する。
【００１７】
そして、分電盤は、この電力線４からの交流電力を複数（図１の例では７つ）の分岐回路５１〜５７に分配する。そのため、複数の分岐回路５１〜５７には、「第１分岐回路」と、「第２分岐回路」と、「第３分岐回路」との３種類が存在する。「第１分岐回路」は、第１電圧線４１及び中性線４３に電気的に接続される。「第２分岐回路」は、第２電圧線４２及び中性線４３に電気的に接続される。「第３分岐回路」は、第１電圧線４１及び第２電圧線４２に電気的に接続される。なお、以下では、複数の分岐回路５１〜５７を特に区別しない場合には、複数の分岐回路５１〜５７の各々を「分岐回路５」ともいう。また、ここでいう「分岐回路」は、分岐ブレーカ、並びに分岐ブレーカの二次側に接続される配線路、配線器具（アウトレット、壁スイッチなど）、及び各種の機器（照明器具、調理家電など）を含んでいる。
【００１８】
ここで、第１電圧線４１又は第２電圧線４２と、中性線４３との間の電圧が１００〔Ｖ〕（実効値）であるとすれば、「第１分岐回路」及び「第２分岐回路」には１００〔Ｖ〕が印加され、「第３分岐回路」には２００〔Ｖ〕が印加されることになる。回路判定システムは、複数の分岐回路５の各々について、上述のように印加電圧の異なる３種類の分岐回路（第１分岐回路、第２分岐回路、第３分岐回路）のいずれに当たるかを、自動的に判定するためのシステムである。
【００１９】
すなわち、本実施形態の回路判定システムは、図１に示すように、計測装置２と、判定装置３とを備えている。計測装置２は、少なくとも第１電圧線（Ｌ１相）４１を流れる第１電流Ｉ１及び第２電圧線（Ｌ２相）４２を流れる第２電流Ｉ２の各々を計測する。判定装置３は、計測装置２の計測結果を用いて、少なくとも複数の分岐回路５の各々が、「第１分岐回路」及び「第２分岐回路」と、「第３分岐回路」とのどちらであるかを判定する。このとき、判定装置３は、第１期間と第２期間との間で生じる電流の変化を電流変化とし、第１電流Ｉ１の電流変化と第２電流Ｉ２の電流変化とが一致するか否かによって、複数の分岐回路５の各々の種類を判定する。
【００２０】
要するに、本実施形態の回路判定システムでは、電力線４のうち少なくとも第１電圧線４１及び第２電圧線４２の各々を流れる電流（第１電流Ｉ１、第２電流Ｉ２）を計測装置２が計測し、その計測結果を用いて、判定装置３が分岐回路５の種類を判定する。ここで、判定装置３では、第１電流Ｉ１の電流変化（第１期間と第２期間との間で生じる電流の変化）と第２電流Ｉ２の電流変化（第１期間と第２期間との間で生じる電流の変化）の一致、不一致により、分岐回路５の種類を判定する。つまり、判定装置３は、ある期間（第１期間及び第２期間）内において、時間経過に伴って第１電流Ｉ１に生じる変化と第２電流Ｉ２に生じる変化との一致、不一致により、分岐回路５の種類を判定する。
【００２１】
また、判定装置３は、複数の分岐回路５のうち、第１電流Ｉ１の電流変化と第２電流Ｉ２の電流変化とが一致しない分岐回路５について、「第１分岐回路」と「第２分岐回路」とのどちらであるかを判定する。このとき、判定装置３は、分岐電流の電流変化が第１電流Ｉ１の電流変化及び第２電流Ｉ２の電流変化のいずれに一致するかによって、「第１分岐回路」と「第２分岐回路」とのどちらであるかを判定する。
【００２２】
ところで、近年、複数の分岐回路５の各々について、消費電力と消費電力量との少なくとも一方を計測値として計測する電力計測システムが普及している。一般的な電力計測システムにおいては、複数の分岐回路５の各々に印加されている電圧値と、複数の分岐回路５の各々に流れる電流値とから、複数の分岐回路５の各々での消費電力や消費電力量が求められる。そのため、複数の分岐回路５に、上述したように印加電圧の異なる３種類の分岐回路が含まれている場合、電力計測システムにおいて、消費電力や消費電力量を精度よく求めるには、複数の分岐回路５の各々の種類が正しく設定されている必要がある。つまり、複数の分岐回路５の各々について、印加電圧が１００〔Ｖ〕か２００〔Ｖ〕かを表す情報（以下、「電圧区分」という）が正しく設定される必要がある。
【００２３】
この種の電力計測システムにおいて、従来、電圧区分の設定は、ディップスイッチ等のメカニカルスイッチや専用の設定装置を用いて、分電盤や電力計測システムの施工業者が手動で行っている。ただし、施工業者が手動で設定を行う場合には、人為的ミスにより、設定し忘れたり設定を間違ったりする可能性があるため、電圧区分の設定の自動化が望まれている。
【００２４】
そこで、本実施形態では、複数の分岐回路５の各々の種類を自動的に判定するための回路判定システムを電力計測システムに適用し、電圧区分の設定を自動化する場合を例に、回路判定システムについて説明する。ただし、本実施形態の回路判定システムの用途は、複数の分岐回路５の各々の種類を自動的に判定する用途であればよく、電力計測システムに限らず、例えば施工状況の確認のために用いられてもよい。
【００２５】
（１．２）詳細説明
以下、本実施形態に係る回路判定システムについて詳しく説明する。ただし、以下に説明する構成は、本発明の一例に過ぎず、本発明は、下記実施形態に限定されることはなく、この実施形態以外であっても、本発明に係る技術的思想を逸脱しない範囲であれば、設計等に応じて種々の変更が可能である。
【００２６】
本実施形態では、回路判定システムは、需要家施設において消費電力と消費電力量との少なくとも一方を計測するための電力計測システムに適用され、複数の分岐回路５の各々について電圧区分の設定に用いられる。ここでいう「需要家施設」は、電力の需要家の施設を意味しており、電力会社等の電気事業者から電力の供給を受ける施設だけでなく、太陽光発電設備等の自家発電設備から電力の供給を受ける施設も含む。本実施形態では、戸建住宅を需要家施設の一例として説明する。
【００２７】
（１．２．１）基本構成
ここではまず、回路判定システムが適用される電力計測システム１の基本構成について、図１を参照して説明する。
【００２８】
本実施形態の電力計測システム１は、図１に示すように、計測装置２及び判定装置３の他、消費電力と消費電力量との少なくとも一方を演算する演算装置１１と、電圧区分を記憶する記憶装置１２と、電圧区分を設定する設定装置１３とを更に備えている。さらに、電力計測システム１は、複数箇所の電流を計測するために、複数の電流センサ２１，２２，２０１〜２０７を備えている。ここで、電力計測システム１の構成要素は、演算装置１１を除き、回路判定システムの構成要素と共通である。すなわち、本実施形態の回路判定システムは、計測装置２、判定装置３、記憶装置１２、設定装置１３、及び複数の電流センサ２１，２２，２０１〜２０７を備えている。なお、複数の電流センサ２１，２２，２０１〜２０７は、計測装置２に含まれていてもよい。
【００２９】
本実施形態では、これらの電力計測システム１の構成要素（計測装置２、判定装置３、演算装置１１、記憶装置１２、設定装置１３、及び電流センサ２１，２２，２０１〜２０７）は、分電盤６（図２参照）のキャビネット６０（図２参照）内に収納されている。
【００３０】
計測装置２には、一対の（主幹用）電流センサ２１，２２及び複数の（分岐用）電流センサ２０１〜２０７の各々が電気的に接続されている。一対の電流センサ２１，２２は、第１電圧線４１及び第２電圧線４２に一対一に対応して設けられている。また、複数の電流センサ２０１〜２０７は、複数の分岐回路５に一対一に対応して設けられている。これにより、計測装置２では、電流センサ２１の出力から第１電圧線４１を流れる第１電流Ｉ１が計測可能であり、電流センサ２２の出力から第２電圧線４２を流れる第２電流Ｉ２が計測可能である。また、計測装置２では、複数の電流センサ２０１〜２０７の出力から、複数の分岐回路５の各々を流れる電流（以下、「分岐電流」という）を計測可能である。以下では、分岐電流を計測するための複数の電流センサ２０１〜２０７を特に区別しない場合には、複数の電流センサ２０１〜２０７の各々を「電流センサ２０」ともいう。
【００３１】
なお、以下では、分岐回路５１を流れる分岐電流、つまり電流センサ２０１で計測される分岐電流を「分岐電流Ｉ１１」という。同様に、分岐回路５ｎ（ｎは自然数）を流れる分岐電流、つまり電流センサ２０ｎ（ｎは自然数）で計測される分岐電流を「分岐電流Ｉ１ｎ」という。
【００３２】
判定装置３は、計測装置２と電気的に接続されており、計測装置２の計測結果を用いて、複数の分岐回路５の各々が、「第１分岐回路」と「第２分岐回路」と「第３分岐回路」とのいずれであるかを判定する。ここでいう計測装置２の計測結果は、計測装置２での各電流（第１電流Ｉ１、第２電流Ｉ２、及び分岐電流）の計測結果であって、例えば実効値や電流波形などである。
【００３３】
ここで、判定装置３は、例えばマイコン（マイクロコンピュータ）を主構成とし、マイコンのメモリに記録されたプログラムをＣＰＵ（Central Processing Unit）で実行することにより、種々の機能を実現する。プログラムは、予めマイコンのメモリに記録されていてもよいし、メモリカードのような記録媒体に記録されて提供されたり、電気通信回線を通して提供されたりしてもよい。なお、判定装置３の動作については、「（１．２．３）回路判定動作」の欄で詳しく説明する。
【００３４】
本実施形態では、判定装置３は、少なくとも回路判定システム（電力計測システム１）の起動時、つまり電源投入時に、複数の分岐回路５の各々の種類を判定する。判定装置３は、「第１分岐回路」と「第２分岐回路」と「第３分岐回路」とのいずれであるかを一旦判定した分岐回路５については、以降、定期的に「第１分岐回路」と「第２分岐回路」と「第３分岐回路」とのいずれであるかを判定するように構成されている。これにより、判定装置３は、判定に関連する処理負荷（演算負荷）を低減することができる。
【００３５】
演算装置１１は、計測装置２と電気的に接続されており、計測装置２の計測結果を用いて、複数の分岐回路５の各々について、消費電力と消費電力量との少なくとも一方を計測値として計測する。計測値は、瞬時電力を表す消費電力であってもよいし、あるいは一定時間における電力の消費量（使用量）を表す消費電力量であってもよい。また、計測値は、消費電力と消費電力量との両方であってもよい。本実施形態では一例として、計測値は、消費電力を一定時間（例えば１分間）積算した消費電力量であることとする。
【００３６】
演算装置１１は、電力線（第１電圧線４１、第２電圧線４２、及び中性線４３）４の線間電圧を監視している。演算装置１１は、例えばマイコン（マイクロコンピュータ）からなり、線間電圧と分岐電流を用いて演算することにより、計測値を求める。なお、演算装置１１では、複数の分岐回路５の各々についての計測値だけでなく、需要家施設の総消費電力量を計測値として求める構成であってもよい。
【００３７】
記憶装置１２は、複数の分岐回路５の各々について、「第１分岐回路」と「第２分岐回路」と「第３分岐回路」とのいずれであるかを記憶する。言い換えれば、記憶装置１２は、複数の分岐回路５の各々の電圧区分（印加電圧が１００〔Ｖ〕か２００〔Ｖ〕かを表す情報）を記憶する。つまり、複数の分岐回路５１〜５７のうち、「第１分岐回路」である分岐回路５１，５２、及び「第２分岐回路」である分岐回路５３，５４については、１００〔Ｖ〕との電圧区分が対応付けて記憶される。また、複数の分岐回路５１〜５７のうち、「第３分岐回路」である分岐回路５５〜５７については、２００〔Ｖ〕との電圧区分が対応付けて記憶される。
【００３８】
本実施形態では、複数の分岐回路５の各々を識別するための識別符号として回路番号（１，２，３…）が用いられ、分岐ブレーカ６２の位置ごとに個別の回路番号が割り当てられる。例えば、上段の分岐ブレーカ６２については、主幹ブレーカ６１側から順に奇数番号（１，３，５，７…）が回路番号として割り当てられる。下段の分岐ブレーカ６２については、主幹ブレーカ６１側から順に偶数番号（２，４，６，８…）が回路番号として割り当てられる。そして、記憶装置１２は、複数の分岐回路５に電圧区分（分岐回路の種類）が一対一で対応するように、識別符号（回路番号）ごとに電圧区分をテーブル形式で記憶する。なお、分岐回路５への回路番号の割り当て方は、上述した例に限らず任意に決めることができる。
【００３９】
記憶装置１２は、演算装置１１と電気的に接続されている。演算装置１１では、記憶装置１２に記憶されている電圧区分に応じて演算結果を補正することで、計測値を精度よく求めることができる。
【００４０】
設定装置１３は、記憶装置１２に電気的に接続されており、記憶装置１２に記憶される電圧区分を設定する。ここで、設定装置１３には、判定装置３が電気的に接続されており、設定装置１３は、判定装置３の判定結果を記憶装置１２に書き込むように構成されている。すなわち、設定装置１３は、複数の分岐回路５の各々が「第１分岐回路」と「第２分岐回路」と「第３分岐回路」とのいずれであるかを表す、判定装置３での判定結果を受けて、記憶装置１２に電圧区分の書き込みを行う。
【００４１】
（１．２．２）分電盤
次に、分電盤６の構成について説明する。
【００４２】
分電盤６は、図２に示すように、電力線４に電気的に接続される主幹ブレーカ６１と、主幹ブレーカ６１の二次側端子に電気的に接続される複数の分岐ブレーカ６２とをキャビネット６０内に備えている。さらに、分電盤６は、計測ユニット６３、設定ユニット６４、電流センサ２１，２２、及びセンサ群２３，２４をキャビネット６０内に備えている。
【００４３】
本実施形態では一例として、電力計測システム１の構成要素のうち、計測装置２、判定装置３及び演算装置１１としての機能は、計測ユニット６３に設けられている。同様に、記憶装置１２及び設定装置１３としての機能は、設定ユニット６４に設けられている。
【００４４】
主幹ブレーカ６１の一次側端子は、３線式（第１電圧線４１、第２電圧線４２、及び中性線４３）の電力線４を介して、系統電源７（図１参照）に電気的に接続されている。主幹ブレーカ６１の二次側端子には、３極（Ｌ１相、Ｌ２相、Ｎ相）の導電バーが接続されている。これら３極の導電バーは、第１電圧線（Ｌ１相）４１、第２電圧線（Ｌ２相）４２、及び中性線（Ｎ相）４３と一対一に電気的に接続される。
【００４５】
複数の分岐ブレーカ６２は、導電バーに接続されることにより、主幹ブレーカ６１の二次側端子に電気的に接続される。なお、複数の分岐ブレーカ６２は、導電バーの幅方向の両側（上段と下段）に分かれて、それぞれ複数ずつ配置されている。
【００４６】
ここで、複数の分岐ブレーカ６２のうち、「第１分岐回路」である分岐回路５１，５２に含まれる分岐ブレーカ６２は、Ｌ１相の導電バーとＮ相の導電バーとに接続されている。また、複数の分岐ブレーカ６２のうち、「第２分岐回路」である分岐回路５３，５４に含まれる分岐ブレーカ６２は、Ｌ２相の導電バーとＮ相の導電バーとに接続されている。さらに、複数の分岐ブレーカ６２のうち、「第３分岐回路」である分岐回路５５〜５７に含まれる分岐ブレーカ６２は、Ｌ１相の導電バーとＬ２相の導電バーとに接続されている。これにより、「第１分岐回路」となる分岐回路５１，５２の各々は、第１電圧線（Ｌ１相）４１及び中性線（Ｎ相）４３に対して電気的に接続されることになる。また、「第２分岐回路」となる分岐回路５３，５４の各々は、第２電圧線（Ｌ２相）４２及び中性線（Ｎ相）４３に対して電気的に接続されることになる。さらに、「第３分岐回路」となる分岐回路５５〜５７の各々は、第１電圧線（Ｌ１相）４１及び第２電圧線（Ｌ２相）４２に対して電気的に接続されることになる。
【００４７】
ここにおいて、１００〔Ｖ〕用の分岐ブレーカ６２、つまり「第１分岐回路」又は「第２分岐回路」に分類される分岐回路５の分岐ブレーカ６２は、導電バーの上段に取り付けられた状態では、第１電圧線４１及び中性線４３に対して電気的に接続される。一方、導電バーの下段に取り付けられた状態では、１００〔Ｖ〕用の分岐ブレーカ６２は、第２電圧線４２及び中性線４３に対して電気的に接続される。また、２００Ｖ用の分岐ブレーカ６２、つまり「第３分岐回路」に分類される分岐回路５の分岐ブレーカ６２は、導電バーの上段、下段に関わらず、第１電圧線４１及び第２電圧線４２に対して電気的に接続される。
【００４８】
計測ユニット６３には、一対の電流センサ２１，２２及びセンサ群２３，２４の各々が電気的に接続されている。電流センサ２１，２２，２０１〜２０７としては、例えばＣＴ（Current Transformer）センサ、ホール素子、ＧＭＲ（Giant Magnetic Resistances）素子等の磁気抵抗素子、シャント抵抗などが用いられる。本実施形態では一例として、電流センサ２１，２２，２０１〜２０７の各々はＣＴセンサからなる。
【００４９】
一対の電流センサ２１，２２は、主幹ブレーカ６１の一次側端子に接続された電力線４の電流を計測するように、電力線４に取り付けられている。ここでは、一対の電流センサ２１，２２のうち、一方の（第１の）電流センサ２１は第１電圧線４１に取り付けられ、他方の（第２の）電流センサ２２は第２電圧線４２に取り付けられている。これにより、計測ユニット６３に設けられた計測装置２では、電流センサ２１の出力から第１電圧線４１を流れる第１電流Ｉ１が計測可能となり、電流センサ２２の出力から第２電圧線４２を流れる第２電流Ｉ２が計測可能となる。
【００５０】
センサ群２３，２４の各々は、複数の電流センサ２０を具備し、これら複数の電流センサ２０が、複数の分岐ブレーカ６２に一対一に対応するようにして、複数の分岐ブレーカ６２と導電バーとの間に取り付けられている。これにより、計測ユニット６３に設けられた計測装置２では、センサ群２３，２４の各々の出力から、複数の分岐回路５の各々を流れる分岐電流が計測可能となる。
【００５１】
ここで、導電バーの上段の分岐ブレーカ６２は、１００〔Ｖ〕用か２００〔Ｖ〕用かによらず、いずれも第１電圧線４１に対して電気的に接続される。一方、導電バーの下段の分岐ブレーカ６２は、１００〔Ｖ〕用か２００〔Ｖ〕用かによらず、いずれも第２電圧線４２に対して電気的に接続される。そこで、上段の分岐ブレーカ６２の電流を計測するセンサ群２３においては、複数の電流センサ２０は、第１電圧線４１と分岐ブレーカ６２との間に設置され、第１電圧線４１と分岐ブレーカ６２との間の電流を計測する。一方、下段の分岐ブレーカ６２の電流を計測するセンサ群２４においては、複数の電流センサ２０は、第２電圧線４２と分岐ブレーカ６２との間に設置され、第２電圧線４２と分岐ブレーカ６２との間の電流を計測する。
【００５２】
また、設定ユニット６４は、計測ユニット６３に電気的に接続されている。設定ユニット６４には、記憶装置１２及び設定装置１３としての機能が設けられている。したがって、設定ユニット６４では、計測ユニット６３の判定装置３の判定結果を用いて、自動的に電圧区分の設定が行われる。
【００５３】
なお、設定ユニット６４は、分電盤６の外部に設けられたコントローラと通信を行い、計測ユニット６３で得られた計測値をコントローラへ送信する通信アダプタとしての機能を有している。ここでいうコントローラは、ＨＥＭＳ（Home Energy Management System）コントローラであって、計測値をモニタへ表示したり、計測値に基づいて（ＨＥＭＳ対応）機器を制御したりすることができる。
【００５４】
（１．２．３）回路判定動作
次に、本実施形態の電力計測システム１（回路判定システム）における、判定装置３の動作（回路判定動作）について説明する。
【００５５】
本実施形態では、判定装置３は、計測装置２の計測結果を用いて、少なくとも複数の分岐回路５の各々が、「第１分岐回路」及び「第２分岐回路」と、「第３分岐回路」とのどちらであるかを判定する。言い換えれば、判定装置３は、計測装置２の計測結果を用いて、少なくとも複数の分岐回路５の各々の電圧区分が１００〔Ｖ〕か２００〔Ｖ〕かを判定する。このとき、判定装置３は、第１期間と第２期間との間で生じる電流の変化を電流変化とし、第１電流Ｉ１の電流変化と、第２電流Ｉ２の電流変化とが一致するか否かによって、複数の分岐回路５の各々の種類を判定する。要するに、判定装置３は、ある期間（第１期間及び第２期間）内において、時間経過に伴って第１電流Ｉ１に生じる変化と第２電流Ｉ２に生じる変化との一致、不一致により、分岐回路５の種類を判定する。
【００５６】
ここでいう電流変化は、第１期間と第２期間との間で生じる電流波形の特徴量の変化である。具体的には、判定装置３は、例えば第１電流Ｉ１については、第１期間の電流波形と第２期間の電流波形との差分（差分波形）を、電流波形の特徴量の変化、つまり第１電流Ｉ１の電流変化として求める。判定装置３は、第２電流Ｉ２についても同様に、第１期間の電流波形と第２期間の電流波形との差分（差分波形）を、電流変化として求める。
【００５７】
ここで、判定装置３は、第１電流Ｉ１と第２電流Ｉ２とで差分波形（第１期間の電流波形と第２期間の電流波形との差分）同士を比較することにより、両者の一致、不一致を判断し、判断結果から分岐回路５の種類を判定する。このとき、判定装置３は、第１電流Ｉ１と第２電流Ｉ２とで差分波形同士を比較するにあたり、例えばパターンマッチングにより、両者の一致度（合致度）を数値化して求める。そして、一致度が閾値以上であれば、判定装置３では、第１電流Ｉ１の電流変化と第２電流Ｉ２の電流変化とが一致すると判断する。
【００５８】
また、本実施形態では、計測装置２は、上述したように、複数の分岐回路５の各々を流れる分岐電流を計測するように構成されている。判定装置３は、第１電流Ｉ１の電流変化と第２電流Ｉ２の電流変化とが一致しない場合、第１電流Ｉ１及び第２電流Ｉ２の各々と分岐電流とで差分波形同士を比較する。この場合においても、パターンマッチングにより差分波形同士を比較する。
【００５９】
ここで、第１期間と第２期間とは、互いに同じ時間幅（時間長さ）、かつ同じ位相であることが好ましい。これにより、第１期間の電流波形と第２期間の電流波形との差分（差分波形）は、電流変化が生じていない場合にはゼロになり、電流変化が生じている場合には、電流変化分だけが反映された波形となる。したがって、判定装置３では、第１電流Ｉ１、第２電流Ｉ２及び分岐電流の電流変化を精度よく求めることができ、その結果、判定精度が向上する。
【００６０】
特に、第１期間及び第２期間は、電力線４の電圧波形に同期して設定されていることが好ましい。言い換えれば、判定装置３は、第１電圧線４１及び第２電圧線４２間に印加されている交流の電圧波形に同期して、第１期間及び第２期間を設定する。具体的には、第１期間と第２期間との開始時点及び終了時点を、第１電流Ｉ１、第２電流Ｉ２及び分岐電流のゼロクロス点と一致させることで、第１電流Ｉ１、第２電流Ｉ２及び分岐電流の電流変化が精度よく求まることになる。その結果、判定装置３での判定精度が向上する。
【００６１】
本実施形態において、判定装置３は、第１期間と第２期間とを１組とする判定期間を設定し、判定期間内で生じる電流の変化、つまり第２期間と第１期間との差分波形を、第１期間と第２期間との間で生じる電流変化として抽出する。少なくとも回路判定システム（電力計測システム１）の起動時、つまり電源投入時には、判定装置３は判定期間を繰り返し設定し、複数の分岐回路５の各々の種類を判定する。なお、回路判定システムの起動時以外であっても、判定期間は定期的（周期的）に設定されていてもよいし、不定期で設定されていてもよい。また、判定期間は連続的に繰り返し設定されていてもよい。
【００６２】
例えば、第１期間から第２期間にかけて、複数の分岐回路５１〜５７のうちの１つの分岐回路５に含まれる機器がオン（あるいはオフ）することで、この分岐回路５の通電状態が変化した場合を想定する。以下では、第１期間から第２期間にかけて通電状態が変化した分岐回路５を「対象回路」ともいう。
【００６３】
この場合において、通電状態が変化した分岐回路（対象回路）５が、第１電圧線４１及び中性線４３に接続された「第１分岐回路」、例えば分岐回路５１であったとする。このとき、分岐回路５１の通電状態の変化に起因して、第１電圧線４１及び中性線４３を通して分岐回路５１を流れる電流に、変化が生じることになる。言い換えれば、分岐回路５１の通電状態の変化に起因した電流変化は、第２電圧線４２には生じず、第１電圧線４１のみに生じる。そのため、「第１分岐回路」にて通電状態が変化した場合、第１電流Ｉ１に生じる電流変化と第２電流Ｉ２に生じる電流変化とは一致しないこと（不一致）になる。
【００６４】
また、通電状態が変化した分岐回路（対象回路）５が、第２電圧線４２及び中性線４３に接続された「第２分岐回路」、例えば分岐回路５３であったとする。このとき、分岐回路５３の通電状態の変化に起因して、第２電圧線４２及び中性線４３を通して分岐回路５３を流れる電流に、変化が生じることになる。言い換えれば、分岐回路５３の通電状態の変化に起因した電流変化は、第１電圧線４１には生じず、第２電圧線４２のみに生じる。そのため、「第２分岐回路」にて通電状態が変化した場合、第１電流Ｉ１に生じる電流変化と第２電流Ｉ２に生じる電流変化とは一致しないこと（不一致）になる。
【００６５】
これに対して、通電状態が変化した分岐回路（対象回路）５が、第１電圧線４１及び第２電圧線４２に接続された「第３分岐回路」、例えば分岐回路５５であったとする。このとき、分岐回路５５の通電状態の変化に起因して、第１電圧線４１及び第２電圧線４２を通して分岐回路５５を流れる電流に、変化が生じることになる。言い換えれば、分岐回路５５の通電状態の変化に起因した電流変化は、第１電圧線４１と第２電圧線４２との両方に生じる。そのため、「第３分岐回路」にて通電状態が変化した場合、第１電流Ｉ１に生じる電流変化と第２電流Ｉ２に生じる電流変化とは一致することになる。
【００６６】
そこで、判定装置３は、第１電流Ｉ１に生じる電流変化と第２電流Ｉ２に生じる電流変化とが一致しなければ、つまり不一致であれば、対象回路が「第１分岐回路」又は「第２分岐回路」であると判定する。一方、第１電流Ｉ１に生じる電流変化と第２電流Ｉ２に生じる電流変化とが一致すれば、判定装置３は、対象回路が「第３分岐回路」であると判定する。
【００６７】
また、対象回路が「第１分岐回路」及び「第２分岐回路」のいずれかである場合、分岐回路５の通電状態の変化に起因した電流変化、言い換えると分岐電流に生じる電流変化は、第１電圧線４１と第２電圧線４２との一方のみに生じる。したがって、この場合には、分岐電流に生じる電流変化は、第１電流Ｉ１に生じる電流変化と第２電流Ｉ２に生じる電流変化との一方と一致することになる。
【００６８】
そこで、判定装置３は、分岐電流に生じる電流変化と第１電流Ｉ１に生じる電流変化とが一致すれば、対象回路が「第１分岐回路」であると判定する。また、判定装置３は、分岐電流に生じる電流変化と第２電流Ｉ２に生じる電流変化とが一致すれば、対象回路が「第２分岐回路」であると判定する。
【００６９】
このように、判定装置３は、「第１分岐回路」及び「第２分岐回路」と「第３分岐回路」とで電流の経路が異なることを利用し、第１電流Ｉ１の電流変化と第２電流Ｉ２の電流変化とが一致するか否かによって、対象回路の種類を判定する。したがって、本実施形態の回路判定システムによれば、電力線４のうち少なくとも第１電圧線及び第２電圧線４２の各々を流れる電流の計測結果を用いることで、分岐回路５の種類を判定することが可能である。
【００７０】
さらに、本実施形態では、複数の分岐回路５の各々を流れる分岐電流を計測装置２が計測し、その計測結果を用いて、判定装置３が複数の分岐回路５の種類を判定するように構成されている。そのため、第１電流Ｉ１の電流変化と第２電流Ｉ２の電流変化とが一致しない場合において、分岐電流の電流変化が第１電流Ｉ１の電流変化と第２電流Ｉ２の電流変化とのいずれに一致するかによって、分岐回路５の種類を判定することも可能である。
【００７１】
上述のように、判定装置３は、第１電流Ｉ１の電流変化と第２電流Ｉ２の電流変化とが一致しない場合、複数の分岐回路５のうち、分岐電流の電流変化が第１電流Ｉ１の電流変化と一致する分岐回路５について、「第１分岐回路」であると判定する。また、判定装置３は、第１電流Ｉ１の電流変化と第２電流Ｉ２の電流変化とが一致しない場合、複数の分岐回路５のうち、分岐電流の電流変化が第２電流Ｉ２の電流変化と一致する分岐回路５について、「第２分岐回路」であると判定する。
【００７２】
すなわち、判定装置３は、判定の対象となる対象回路（第１期間から第２期間にかけて通電状態が変化した分岐回路５）を、分岐電流の電流変化（第１期間と第２期間との間で生じる電流の変化）に基づいて、複数の分岐回路５の中から特定する。対象回路が「第１分岐回路」であれば、第１電流Ｉ１の電流変化と第２電流Ｉ２の電流変化とが一致せず、かつ、対象回路の分岐電流の電流変化は第１電流Ｉ１の電流変化と一致することになる。また、対象回路が「第２分岐回路」であれば、第１電流Ｉ１の電流変化と第２電流Ｉ２の電流変化とが一致せず、かつ、対象回路の分岐電流の電流変化は第２電流Ｉ２の電流変化と一致することになる。言い換えれば、第１電流Ｉ１の電流変化と第２電流Ｉ２の電流変化とが一致しない場合には、分岐電流の電流変化が第１電流Ｉ１及び第２電流Ｉ２のいずれかの電流変化と一致する分岐回路５が、対象回路であると推定される。そこで、判定装置３は、分岐電流の電流変化が第１電流Ｉ１の電流変化と一致する分岐回路５については、「第１分岐回路」であると判定する。また、判定装置３は、分岐電流の電流変化が第２電流Ｉ２の電流変化と一致する分岐回路５については、「第２分岐回路」であると判定する。
【００７３】
同様に、判定装置３は、第１電流Ｉ１の電流変化と第２電流Ｉ２の電流変化とが一致する場合、複数の分岐回路５のうち、分岐電流の電流変化が第１電流Ｉ１及び第２電流Ｉ２の両方の電流変化と一致する分岐回路５について、「第３分岐回路」であると判定する。
【００７４】
すなわち、対象回路が「第３分岐回路」であれば、第１電流Ｉ１の電流変化と第２電流Ｉ２の電流変化とが一致し、かつ、対象回路の分岐電流の電流変化は第１電流Ｉ１及び第２電流Ｉ２の両方の電流変化と一致することになる。言い換えれば、第１電流Ｉ１の電流変化と第２電流Ｉ２の電流変化とが一致する場合には、分岐電流の電流変化が第１電流Ｉ１及び第２電流Ｉ２の両方の電流変化と一致する分岐回路５が、対象回路であると推定される。そこで、判定装置３は、分岐電流の電流変化が第１電流Ｉ１及び第２電流Ｉ２の両方の電流変化と一致する分岐回路５については、「第３分岐回路」であると判定する。
【００７５】
（１．２．４）具体例
以下では、判定装置３での回路判定動作の具体例について、図３〜６を参照して説明する。図３Ａにおいては、横軸を時間軸として、第１電流Ｉ１、第２電流Ｉ２、対象回路（ここでは分岐回路５１）の分岐電流（ここでは「Ｉ１１」）の電流波形を表している。図３Ｂにおいては、横軸を時間軸として、第１電流Ｉ１、第２電流Ｉ２、対象回路の分岐電流について、第２期間Ｔ２の電流波形と第１期間Ｔ１の電流波形との差分（第２期間Ｔ２−第１期間Ｔ１）からなる差分波形を表している。つまり、図３Ｂに示す差分波形が、第１電流Ｉ１、第２電流Ｉ２、対象回路の分岐電流の各々の電流変化となる。図４Ａ，４Ｂは、対象回路が分岐回路５３の場合における図３Ａ，３Ｂに対応する図面、図５Ａ，５Ｂは、対象回路が分岐回路５５の場合における図３Ａ，３Ｂに対応する図面である。また、図６Ａ，６Ｂは、対象回路（分岐回路５５）の通電状態がオンからオフに変化した場合における図５Ａ，５Ｂに対応する図面である。
【００７６】
まず、「第１分岐回路」である分岐回路５１において、第１期間Ｔ１（時刻ｔ１〜ｔ２）から第２期間Ｔ２（時刻ｔ２〜ｔ３）にかけて、通電状態がオフからオンに変化した場合について、図３Ａ，３Ｂを参照して説明する。ここでは、第１期間Ｔ１と第２期間Ｔ２との境界となる時刻ｔ２において、分岐回路５１の通電状態が変化した場合を例示する。
【００７７】
この場合、図３Ａに示すように、時刻ｔ２以前の第１期間Ｔ１には分岐電流Ｉ１１はゼロであり、時刻ｔ２以降の第２期間Ｔ２には特定波形の分岐電流Ｉ１１が流れることになる。これに伴い、第１電圧線４１には、時刻ｔ２以降の第２期間Ｔ２において、時刻ｔ２以前の第１期間Ｔ１の第１電流Ｉ１に、分岐電流Ｉ１１を合成した第１電流Ｉ１が流れることになる。一方、第２電圧線４２には、時刻ｔ２以降の第２期間Ｔ２においても、時刻ｔ２以前の第１期間Ｔ１と同様の第２電流Ｉ２が継続的に流れることになる。
【００７８】
この場合、判定装置３は、計測装置２の計測結果を用いて、図３Ｂに示すように、第１電流Ｉ１、第２電流Ｉ２、及び分岐電流Ｉ１１の各々について、電流変化（差分波形）を求める。ここで、分岐電流Ｉ１１の電流変化は、第１電流Ｉ１の電流変化と一致し、第２電流Ｉ２の電流変化とは不一致である。そのため、判定装置３は、対象回路としての分岐回路５１について、「第１分岐回路」であると判定する。
【００７９】
次に、「第２分岐回路」である分岐回路５３において、第１期間Ｔ１（時刻ｔ１〜ｔ２）から第２期間Ｔ２（時刻ｔ２〜ｔ３）にかけて、通電状態がオフからオンに変化した場合について、図４Ａ，４Ｂを参照して説明する。ここでは、第１期間Ｔ１と第２期間Ｔ２との境界となる時刻ｔ２において、分岐回路５３の通電状態が変化した場合を例示する。
【００８０】
この場合、図４Ａに示すように、時刻ｔ２以前の第１期間Ｔ１には分岐電流Ｉ１３はゼロであり、時刻ｔ２以降の第２期間Ｔ２には特定波形の分岐電流Ｉ１３が流れることになる。これに伴い、第２電圧線４２には、時刻ｔ２以降の第２期間Ｔ２において、時刻ｔ２以前の第１期間Ｔ１の第２電流Ｉ２に、分岐電流Ｉ１３を合成した第２電流Ｉ２が流れることになる。一方、第１電圧線４１には、時刻ｔ２以降の第２期間Ｔ２においても、時刻ｔ２以前の第１期間Ｔ１と同様の第１電流Ｉ１が継続的に流れることになる。
【００８１】
この場合、判定装置３は、計測装置２の計測結果を用いて、図４Ｂに示すように、第１電流Ｉ１、第２電流Ｉ２、及び分岐電流Ｉ１３の各々について、電流変化（差分波形）を求める。ここで、分岐電流Ｉ１３の電流変化は、第２電流Ｉ２の電流変化と一致し、第１電流Ｉ１の電流変化とは不一致である。そのため、判定装置３は、対象回路としての分岐回路５３について、「第２分岐回路」であると判定する。
【００８２】
さらに、「第３分岐回路」である分岐回路５５において、第１期間Ｔ１（時刻ｔ１〜ｔ２）から第２期間Ｔ２（時刻ｔ２〜ｔ３）にかけて、通電状態がオフからオンに変化した場合について、図５Ａ，５Ｂを参照して説明する。ここでは、第１期間Ｔ１と第２期間Ｔ２との境界となる時刻ｔ２において、分岐回路５５の通電状態が変化した場合を例示する。
【００８３】
この場合、図５Ａに示すように、時刻ｔ２以前の第１期間Ｔ１には分岐電流Ｉ１５はゼロであり、時刻ｔ２以降の第２期間Ｔ２には特定波形の分岐電流Ｉ１５が流れることになる。これに伴い、第１電圧線４１には、時刻ｔ２以降の第２期間Ｔ２において、時刻ｔ２以前の第１期間Ｔ１の第１電流Ｉ１に、分岐電流Ｉ１５を合成した第１電流Ｉ１が流れることになる。さらに、第２電圧線４２においても第１電圧線４１と同様に、時刻ｔ２以降の第２期間Ｔ２には、時刻ｔ２以前の第１期間Ｔ１の第２電流Ｉ２に、分岐電流Ｉ１５を合成した第２電流Ｉ２が流れることになる。
【００８４】
この場合、判定装置３は、計測装置２の計測結果を用いて、図５Ｂに示すように、第１電流Ｉ１、第２電流Ｉ２、及び分岐電流Ｉ１５の各々について、電流変化（差分波形）を求める。ここで、分岐電流Ｉ１５の電流変化は、第１電流Ｉ１の電流変化と一致し、第２電流Ｉ２の電流変化とも一致する。そのため、判定装置３は、対象回路としての分岐回路５５について、「第３分岐回路」であると判定する。
【００８５】
次に、「第３分岐回路」である分岐回路５５において、第１期間Ｔ１（時刻ｔ１〜ｔ２）から第２期間Ｔ２（時刻ｔ２〜ｔ３）にかけて、通電状態がオンからオフに変化した場合について、図６Ａ，６Ｂを参照して説明する。ここでは、第１期間Ｔ１と第２期間Ｔ２との境界となる時刻ｔ２において、分岐回路５５の通電状態が変化した場合を例示する。
【００８６】
この場合、図６Ａに示すように、時刻ｔ２以前の第１期間Ｔ１には特定波形の分岐電流Ｉ１５が流れ、時刻ｔ２以降の第２期間Ｔ２には分岐電流Ｉ１５はゼロになる。これに伴い、第１電圧線４１には、時刻ｔ２以降の第２期間Ｔ２において、時刻ｔ２以前の第１期間Ｔ１の第１電流Ｉ１から、分岐電流Ｉ１５を差し引いた第１電流Ｉ１が流れることになる。さらに、第２電圧線４２においても第１電圧線４１と同様に、時刻ｔ２以降の第２期間Ｔ２には、時刻ｔ２以前の第１期間Ｔ１の第２電流Ｉ２から、分岐電流Ｉ１５を差し引いた第２電流Ｉ２が流れることになる。
【００８７】
この場合、判定装置３は、計測装置２の計測結果を用いて、図６Ｂに示すように、第１電流Ｉ１、第２電流Ｉ２、及び分岐電流Ｉ１５の各々について、電流変化（差分波形）を求める。ここで、分岐電流Ｉ１５の電流変化は、第１電流Ｉ１の電流変化と一致し、第２電流Ｉ２の電流変化とも一致する。そのため、判定装置３は、対象回路としての分岐回路５５について、「第３分岐回路」であると判定する。
【００８８】
（１．３）効果
本実施形態の回路判定システムによれば、電力線４のうちの少なくとも第１電圧線４１及び第２電圧線４２を流れる第１電流Ｉ１及び第２電流Ｉ２を計測装置２が計測し、その計測結果を用いて、判定装置３が分岐回路５の種類を判定する。ここで、判定装置３では、第１電流Ｉ１の電流変化（第１期間と第２期間との間で生じる電流の変化）と第２電流Ｉ２の電流変化（第１期間と第２期間との間で生じる電流の変化）の一致、不一致により、分岐回路５の種類を判定する。つまり、判定装置３は、ある期間（第１期間及び第２期間）内において、時間経過に伴って第１電流Ｉ１に生じる変化と第２電流Ｉ２に生じる変化との一致、不一致により、分岐回路５の種類を判定する。
【００８９】
また、判定装置３は、第１電流Ｉ１の電流変化と第２電流Ｉ２の電流変化とが一致しなければ、分岐回路５の分岐電流の電流変化が第１電流Ｉ１の電流変化及び第２電流Ｉ２の電流変化のいずれに一致するかによって、分岐回路５の種類を判定する。
【００９０】
したがって、この回路判定システムでは、計測装置２での計測結果（電流）を用いることにより、複数の分岐回路５の各々について、３種類の分岐回路（第１分岐回路、第２分岐回路、第３分岐回路）のいずれに当たるかを、自動的に判定することができる。その結果、特許文献１に記載されている情報担体などの部品を分岐ブレーカ６２に付加する必要がなく、分岐ブレーカ６２の部品点数の増加を抑えながらも、分岐回路５の種類を判定することができる、という利点がある。
【００９１】
特に、回路判定システムが電力計測システム１に適用される場合には、電力計測用の計測装置２を、分岐回路５の種類の判定に利用することができる。したがって、既存の電力計測システム１の構成を利用することで、新たなハードウェア資源を追加しなくても、分岐回路５の種類を判定することが可能である。そして、電力計測システム１において、分岐回路５の種類（電圧区分）の設定が自動化されることで、施工業者が手動で設定を行う場合に比べ、設定し忘れや設定の間違いを減らすことができる。
【００９２】
また、本実施形態のように、計測装置２は、複数の分岐回路５の各々を流れる分岐電流を更に計測するように構成されていることが好ましい。判定装置３は、複数の分岐回路５のうち、第１電流Ｉ１の電流変化と第２電流Ｉ２の電流変化とが一致しない分岐回路５について、「第１分岐回路」と「第２分岐回路」とのどちらであるかを判定する。例えば、判定装置３は、分岐電流の電流変化が第１電流Ｉ１の電流変化と一致していれば、対象回路が「第１分岐回路」であると判定し、分岐電流の電流変化が第２電流Ｉ２の電流変化と一致していれば、対象回路が「第２分岐回路」であると判定する。この構成によれば、第１電流Ｉ１の電流変化と第２電流Ｉ２の電流変化とが一致しない場合に、計測装置２での分岐電流の計測結果から、判定装置３は、判定の対象となる対象回路を特定することができる。したがって、判定装置３は、計測装置２での計測結果のみから、いずれの分岐回路５が「第１分岐回路」又は「第２分岐回路」であるかを特定することができる。
【００９３】
さらに、判定装置３は、複数の分岐回路５のうち、第１電流Ｉ１の電流変化と第２電流Ｉ２の電流変化とが一致する分岐回路５について、分岐電流の電流変化が第１電流Ｉ１及び第２電流Ｉ２の両方の電流変化と一致していれば、「第３分岐回路」であると判定する。この構成によれば、第１電流Ｉ１の電流変化と第２電流Ｉ２の電流変化とが一致する場合に、計測装置２での分岐電流の計測結果から、判定装置３は、判定の対象となる対象回路を特定することができる。したがって、判定装置３は、計測装置２での計測結果のみから、いずれの分岐回路５が「第３分岐回路」であるかを特定することが可能である。
【００９４】
また、本実施形態のように、電流変化は、第１期間と第２期間との間で生じる電流波形の特徴量の変化であることが好ましい。この構成によれば、判定装置３では、電流波形の特徴量の変化から、分岐回路５の種類を判定することになるので、判定の正確性が向上する。例えば、偶然、同じタイミングで複数の分岐回路５の通電状態が変化した場合でも、これらの分岐回路５の電流波形の特徴量が異なっていれば、判定装置３では、誤判定を回避することができる。
【００９５】
また、本実施形態のように、第１期間及び第２期間は、電力線４の電圧波形に同期して設定されることが好ましい。この構成によれば、第１期間や第２期間の開始時点及び終了時点を、第１電流Ｉ１、第２電流Ｉ２及び分岐電流のゼロクロス点と一致させることで、第１電流Ｉ１、第２電流Ｉ２及び分岐電流の電流変化を精度よく求めることができる。その結果、判定装置３での判定精度が向上する。ただし、この構成は回路判定システムに必須の構成ではなく、第１期間及び第２期間は、電力線４の電圧波形に対して非同期であってもよい。
【００９６】
また、回路判定システムは、複数の分岐回路５の各々について「第１分岐回路」と「第２分岐回路」と「第３分岐回路」とのいずれであるかを記憶する記憶装置１２と、判定装置３の判定結果を記憶装置１２に書き込む設定装置１３とを更に備えることが好ましい。この構成によれば、判定装置３の判定結果を受けて複数の分岐回路５の各々について「第１分岐回路」と「第２分岐回路」と「第３分岐回路」とのいずれであるかが記憶装置１２に自動的に書き込まれるので、分岐回路５の種類の設定までも自動化することができる。さらに、施工業者が手動で設定を行った後で設定装置１３が判定結果を書き込むことで、施工業者の設定が間違っていた場合にも正しい設定に修正することが可能である。ただし、この構成は回路判定システムに必須の構成ではなく、記憶装置１２及び設定装置１３の少なくとも一方は省略されていてもよい。
【００９７】
（１．４）回路判定方法、プログラム
以下の回路判定方法を採用することで、専用の計測装置２及び判定装置３を用いなくても、本実施形態の回路判定システムと同等の機能を実現できる。
【００９８】
すなわち、回路判定方法は、分電盤６に用いられ、複数の分岐回路５の各々が、少なくとも「第１分岐回路」及び「第２分岐回路」と、「第３分岐回路」とのどちらであるかを判定する方法であって、判定ステップを含んでいる。判定ステップは、少なくとも第１電線（第１電圧線４１）を流れる第１電流Ｉ１及び第２電線（第２電圧線４２）を流れる第２電流Ｉ２の各々を計測する計測装置２の計測結果を用いて、複数の分岐回路５の各々の種類を判定するステップである。判定ステップは、計測装置２の計測結果を用いて、第１期間と第２期間との間で生じる電流の変化を電流変化とし、第１電流Ｉ１の電流変化と第２電流Ｉ２の電流変化とが一致するか否かによって、分岐回路５の種類を判定する。つまり、判定ステップでは、第１電流Ｉ１の電流変化と第２電流Ｉ２の電流変化とが一致するか否かによって、少なくとも複数の分岐回路５の各々が「第１分岐回路」及び「第２分岐回路」と「第３分岐回路」とのどちらであるかを判定する。
【００９９】
この回路判定方法によれば、専用の計測装置２及び判定装置３を用いなくても、本実施形態の回路判定システムと同等の機能を実現でき、分岐ブレーカ６２の部品点数の増加を抑えながらも、分岐回路５の種類を判定することができる、という利点がある。
【０１００】
また、判定装置３がコンピュータ（マイコンを含む）を主構成とする場合、コンピュータのメモリに記録されるプログラムは、分電盤６と共に用いられるコンピュータに判定処理を実行させるためのプログラムである。判定処理では、少なくとも第１電線（第１電圧線４１）を流れる第１電流Ｉ１及び第２電線（第２電圧線４２）を流れる第２電流Ｉ２の各々を計測する計測装置２の計測結果を用いて、複数の分岐回路５の各々の種類を判定する。判定処理では、第１期間と第２期間との間で生じる電流の変化を電流変化とし、第１電流Ｉ１及び第２電流Ｉ２の電流変化が一致するか否かによって、少なくとも複数の分岐回路５の各々が「第１，第２分岐回路」と「第３分岐回路」とのどちらであるかを判定する。
【０１０１】
このプログラムによれば、専用の計測装置２及び判定装置３を用いなくても、本実施形態の回路判定システムと同等の機能を実現でき、分岐ブレーカ６２の部品点数の増加を抑えながらも、分岐回路５の種類を判定することができる、という利点がある。
【０１０２】
（１．５）変形例
（１．５．１）第１変形例
図７Ａ及び図７Ｂを参照して本実施形態の第１変形例について説明する。
【０１０３】
第１変形例では、図７Ａに示すように、系統電源７に系統連系する分散電源８が設けられている。分散電源８は、例えば主幹ブレーカ６１の二次側端子に接続された連系ブレーカに電気的に接続される。分散電源８は、例えば太陽光発電装置及びパワーコンディショナである。分散電源８の出力電流Ｉ８は、電流センサ２８にて計測される。電流センサ２８は、例えばセンサ群２３，２４の各々に含まれる複数の電流センサ２０の１つからなる。なお、図７Ａ，７Ｂでは、電力計測システム１を構成する計測装置２、判定装置３、演算装置１１、記憶装置１２、及び設定装置１３の図示を省略している。
【０１０４】
上記構成のシステムは、系統電源７と分散電源８とを一まとめにすることで、図７Ｂに示すような等価回路で表すことができる。図７Ｂによれば、第１電圧線４１には、系統電源７からの電流Ｉ１に加えて分散電源８の出力電流Ｉ８が流れることになる。この構成においても、判定装置３は、ある期間（第１期間及び第２期間）内において、時間経過に伴って第１電流に生じる変化と第２電流に生じる変化との一致、不一致により、分岐回路５の種類を判定することができる。
【０１０５】
（１．５．２）第２変形例
図８及び図９Ａ〜図９Ｃを参照して本実施形態の第２変形例について説明する。
【０１０６】
本実施形態では、上述のように、判定装置３は、第１電流Ｉ１、第２電流Ｉ２及び複数の分岐回路５の各々の分岐電流について差分波形（第１期間の電流波形と第２期間の電流波形との差分）を比較することにより、複数の分岐回路５の種類を判定している。このように、波形同士で差分演算を行う場合には演算量が多くなり、ＣＰＵ（判定装置３）において膨大な演算処理が必要になる。特に、測定対象となる分岐回路の数が多くなると、その分だけ演算処理も増えることになる。
【０１０７】
第２変形例では、判定装置３は、演算量を減らすことができるように、第１電流Ｉ１、第２電流Ｉ２及び複数の分岐回路５の各々の分岐電流の実効値から、複数の分岐回路５の種類を判定するように構成されている。
【０１０８】
図８は、第１電流Ｉ１、第２電流Ｉ２及び対象回路（ここでは分岐回路５５）の分岐電流（ここでは「Ｉ１５」）の各々について、一定時間ごとに求めた電流の実効値、実効値の差分、及び３つの差分が一致した回数をカウントしたカウント値Ｃ３を表す図面である。一定時間は、例えば１秒である。
【０１０９】
判定装置３は、第１電流Ｉ１、第２電流Ｉ２及び対象回路の分岐電流の各々について、一定時間ごとの実効値を求める（図８における上段参照）。また、判定装置３は、第１電流Ｉ１、第２電流Ｉ２及び対象回路の分岐電流の各々について、第１期間Ｔ１における実効値と第２期間Ｔ２における実効値との差分を求める（図８における中段参照）。第１期間Ｔ１及び第２期間Ｔ２は、時間的に連続する２つの期間である。判定装置３は、第１電流Ｉ１の実効値の差分、第２電流Ｉ２の実効値の差分及び対象回路の分岐電流の実効値の差分がすべて一致した回数をカウントする（図８における下段参照）。そして、判定装置３は、所定時間Ｔ３（例えば１時間）におけるカウント値Ｃ３が閾値（図８の例では３）以上であれば、対象回路が「第３分岐回路」であると判定する。また、判定装置３は、所定時間Ｔ３におけるカウント値Ｃ３が閾値よりも小さければ、対象回路が「第１分岐回路」又は「第２分岐回路」であると判定する。
【０１１０】
ところで、判定装置３は、複数の分岐回路５の各々について、３つの差分が一致した回数をカウントするカウント値Ｃ３だけでなく、カウント値Ｃ１，Ｃ２（図９Ａ〜図９Ｃ参照）についてもカウントしている。カウント値Ｃ１は、第１電流Ｉ１の実効値の差分と対象回路の分岐電流の実効値の差分とが一致した回数をカウントした値である。また、カウント値Ｃ２は、第２電流Ｉ２の実効値の差分と対象回路の分岐電流の実効値の差分とが一致した回数をカウントした値である。
【０１１１】
例えば、対象回路が「第３分岐回路」である場合、図９Ｃに示すように、所定時間Ｔ３におけるカウント値Ｃ３のみが閾値ｎ１以上になり、判定装置３は、カウント値Ｃ３のみが閾値ｎ１以上になっていることから、対象回路が「第３分岐回路」であると判定する。また、対象回路が「第１分岐回路」である場合、図９Ａに示すように、所定時間Ｔ３におけるカウント値Ｃ１のみが閾値ｎ１以上になり、判定装置３は、カウント値Ｃ１のみが閾値ｎ１以上になっていることから、対象回路が「第１分岐回路」であると判定する。さらに、対象回路が「第２分岐回路」である場合、図９Ｂに示すように、所定時間Ｔ３におけるカウント値Ｃ２のみが閾値ｎ１以上になり、判定装置３は、カウント値Ｃ２のみが閾値ｎ１以上になっていることから、対象回路が「第２分岐回路」であると判定する。
【０１１２】
第２変形例によれば、判定装置３は、第１電流Ｉ１、第２電流Ｉ２及び対象回路の分岐電流の各々について、一定時間ごとに求められた実効値の差分に基づいて、対象回路の種類を判定している。したがって、上述の実施形態１の回路判定システムのように、第１電流Ｉ１、第２電流Ｉ２及び対象回路の分岐電流について差分波形を比較する場合に比べて、判定装置３での演算量を減らすことができる。
【０１１３】
（１．５．３）その他の変形例
本実施形態では、戸建住宅を需要家施設の一例として説明しているが、この例に限らず、需要家施設は、集合住宅の各住戸などの戸建住宅以外の住宅、あるいは事務所、店舗等の被住宅であってもよい。
【０１１４】
また、電力計測システム１の構成要素の分電盤６内での配置は、上述した構成に限らず適宜変更可能である。例えば、計測装置２、判定装置３、演算装置１１、記憶装置１２、及び設定装置１３の全ての機能が、計測ユニット６３及び設定ユニット６４の一方に集約して設けられていてもよい。さらに、電力計測システム１の構成要素の少なくとも一部は、分電盤６のキャビネット６０の外側に設けられていてもよい。
【０１１５】
また、第１期間と第２期間とは、互いに同じ時間幅（時間長さ）、かつ同じ位相に限らない。つまり、第１期間と第２期間とでは、時間幅が異なっていてもよいし、位相が異なっていてもよい。さらに、第１期間と第２期間とは連続していることは必須でなく、第１期間と第２期間との間に一定期間が挟まれていてもよい。
【０１１６】
また、判定装置３での判定に用いられる電流変化は、第１期間と第２期間との間で生じる電流波形の特徴量の変化に限らず、例えば第１期間と第２期間との間で生じる電流の実効値の変化であってもよい。また、電流変化は、第１期間と第２期間との間で生じる電流の周波数（周波数成分）の変化であってもよい。さらには、電流変化は、第１期間と第２期間との間で生じる電流波形の波高値の変化であってもよい。
【０１１７】
電流変化が実効値、周波数、又は波高値の変化であれば、判定装置３は、パターンマッチングなどに比べて低負荷となる演算処理で、電流変化を求めることができ、分岐回路５の種類の判定が可能である。特に、電流変化が実効値又は波高値の変化であれば、偶然、同じタイミングで複数の分岐回路５の通電状態が変化した場合でも、これらの分岐回路５で電流の大きさが異なっていれば、判定装置３では、誤判定を回避することができる。電流変化が周波数の変化であれば、偶然、同じタイミングで複数の分岐回路５の通電状態が変化した場合でも、これらの分岐回路５で電流の周波数が異なっていれば、判定装置３では、誤判定を回避することができる。
【０１１８】
また、本実施形態では、判定装置３は、判定の対象となる対象回路を、分岐電流の電流変化に基づいて特定しているが、対象回路の特定方法はこの方法に限らない。例えば判定装置３が、ＨＥＭＳのコントローラなどから、各分岐回路５に含まれる機器のオン（あるいはオフ）を表すオンオフ情報を取得する構成を想定する。この構成であれば、判定装置３は、オンオフ情報を用いて、第１期間から第２期間にかけて通電状態が変化した分岐回路５、つまり対象回路を特定することができる。この場合には、計測装置２は第１電流Ｉ１と第２電流Ｉ２とを計測する構成であればよく、複数の分岐回路５の各々を流れる分岐電流を計測する機能が省略されていてもよい。
【０１１９】
すなわち、第１電流Ｉ１の電流変化と第２電流Ｉ２の電流変化とが一致しない場合に、計測装置２での分岐電流の計測結果から判定装置３が判定の対象となる対象回路を特定する構成は、回路判定システムに必須の構成ではない。同様に、第１電流Ｉ１の電流変化と第２電流Ｉ２の電流変化とが一致する場合に、計測装置２での分岐電流の計測結果から判定装置３が判定の対象となる対象回路を特定する構成は、回路判定システムに必須の構成ではない。
【０１２０】
また、本実施形態では、第１電圧線４１が「第１電線」、第２電圧線４２が「第２電線」、中性線４３が「第３電線」である場合について説明したが、この例に限らない。例えば、第１電圧線４１が「第１電線」、中性線４３が「第２電線」、第２電圧線４２が「第３電線」であってもよい。この場合、電力線４のうちの少なくとも第１電圧線４１を流れる第１電流、及び中性線４３を流れる第２電流を計測装置２が計測し、その計測結果を用いて、判定装置３が分岐回路５の種類を判定する。したがって、時間経過に伴って第１電流に生じる変化と第２電流に生じる変化との一致、不一致により、分岐回路５の種類を判定する。この場合、第１電圧線４１と中性線４３との一方及び第２電圧線４２に電気的に接続された分岐回路５が「第１分岐回路」又は「第２分岐回路」となり、第１電圧線４１及び中性線４３に電気的に接続された分岐回路５が「第３分岐回路」となる。そして、判定装置３では、第１電流の電流変化と第２電流の電流変化とが一致すれば、対象回路が「第３分岐回路」であると判定する。
【０１２１】
さらに、本実施形態では、判定装置３は、対象回路が「第１分岐回路」と「第２分岐回路」とのどちらであるかを判定する際に、分岐電流の電流変化が第１電流Ｉ１の電流変化と第２電流Ｉ２の電流変化とのいずれに一致するかによって判定している。これに対して、判定装置３は、対象回路を流れる分岐電流に基づいて算出される電力（消費電力）の正負によって、対象回路が「第１分岐回路」と「第２分岐回路」とのどちらであるかを判定するように構成されていてもよい。以下では、判定装置３において、複数の分岐回路５のすべてが「第１分岐回路」であるとデフォルトで設定されている場合を想定する。
【０１２２】
この場合、対象回路が「第１分岐回路」であれば、対象回路の分岐電流と印加電圧（線間電圧）とから算出される電力は正となり、対象回路が「第２分岐回路」であれば、対象回路の分岐電流と印加電圧とから算出される電力は負となる。つまり、複数の分岐回路５のすべてが「第１分岐回路」であるとデフォルトで設定されている場合、判定装置３は、電力が正であれば対象回路が「第１分岐回路」であると判定し、電力が負であれば対象回路が「第２分岐回路」であると判定する。しかもこの場合、判定装置３は、回路判定システム（電力計測システム１）の起動時、つまり電源投入時において瞬時に、対象回路が「第１分岐回路」と「第２分岐回路」とのどちらであるかを判定することができる。そのため、判定装置３は、その後の回路判定動作において、対象回路が、「第１分岐回路」及び「第２分岐回路」と、「第３分岐回路」とのどちらであるかを判定するだけでよく、処理時間を短縮することができる。
【０１２３】
また、複数の分岐回路５のすべてが「第２分岐回路」であるとデフォルトで設定されている場合、対象回路が「第１分岐回路」であれば、分岐電流と印加電圧とから算出される電力は負となり、対象回路が「第２分岐回路」であれば、上記電力は正となる。そして、判定装置３は、算出した電力の正負によって、対象回路が「第１分岐回路」と「第２分岐回路」とのどちらであるかを判定する。
【０１２４】
（実施形態２）
上述の実施形態１の回路判定システムでは、第１電流Ｉ１、第２電流Ｉ２及び複数の分岐回路５の各々を流れる分岐電流の電流変化に基づいて、複数の分岐回路５の種類を判定した。これに対して、本実施形態の回路判定システムでは、第１電流Ｉ１、第２電流Ｉ２及び複数の分岐回路５の各々を流れる分岐電流の特徴量に基づいて、複数の分岐回路５の種類を判定している。以下、実施形態１と同様の構成については、共通の符号を付して適宜説明を省略する。
【０１２５】
（１．１）詳細説明
本実施形態の回路判定システムが適用される電力計測システム１の基本構成及び分電盤６の構成については実施形態１と同様であり、ここでは詳細な説明を省略する。
【０１２６】
（１．１．１）回路判定動作
本実施形態では、判定装置３は、計測装置２の計測結果を用いて、少なくとも複数の分岐回路５の各々が、「第１分岐回路」及び「第２分岐回路」と、「第３分岐回路」とのどちらであるかを判定する。このとき、判定装置３は、複数の分岐回路５のうち、分岐電流の特徴量が第１電流Ｉ１及び第２電流Ｉ２の一方のみに含まれている分岐回路５について、「第１分岐回路」又は「第２分岐回路」であると判定する。また、判定装置３は、複数の分岐回路５のうち、分岐電流の特徴量が第１電流Ｉ１及び第２電流Ｉ２の両方に含まれている分岐回路５について、「第３分岐回路」であると判定する。さらに、判定装置３は、複数の分岐回路５のうち、分岐電流の特徴量が第１電流Ｉ１のみに含まれている分岐回路５について、「第１分岐回路」であると判定する。また、判定装置３は、複数の分岐回路５のうち、分岐電流の特徴量が第２電流Ｉ２のみに含まれている分岐回路５について、「第２分岐回路」であると判定する。
【０１２７】
ここでいう第１電流Ｉ１の特徴量、第２電流Ｉ２の特徴量、及び複数の分岐回路５の各々の分岐電流の特徴量は、電流の周波数スペクトルである。具体的には、判定装置３は、例えば第１電流Ｉ１については、判定期間Ｔ１（図１０参照）に第１電圧線４１を流れる電流の周波数ごとの強度を、第１電流Ｉ１の特徴量として求める。また、判定装置３は、第２電流Ｉ２についても同様に、判定期間Ｔ１に第２電圧線４２を流れる電流の周波数ごとの強度を、第２電流Ｉ２の特徴量として求める。さらに、判定装置３は、複数の分岐回路５の各々の分岐電流についても同様に、判定期間Ｔ１に複数の分岐回路５の各々を流れる分岐電流の周波数ごとの強度を、複数の分岐回路５の各々の分岐電流の特徴量として求める。
【０１２８】
本実施形態において、判定装置３は、第１電流Ｉ１の特徴量、第２電流Ｉ２の特徴量、及び複数の分岐回路５の各々の分岐電流の特徴量を抽出する判定期間を設定する。少なくとも回路判定システム（電力計測システム１）が起動（又は再起動）したとき、つまり電源が投入されたときには、判定装置３は判定期間を設定し、複数の分岐回路５の種類を判定する。なお、回路判定システムが起動（又は再起動）したとき以外であっても、判定期間は定期的（周期的）に設定されていてもよいし、不定期に設定されていてもよい。また、判定期間は連続的に繰り返し設定されていてもよい。
【０１２９】
例えば、複数の分岐回路５１〜５７のうちの１つの分岐回路５に含まれる機器がオンすることで、この分岐回路５の通電状態が変化した場合を想定する。以下では、通電状態が変化した分岐回路５を「対象回路」ともいう。
【０１３０】
この場合において、通電状態が変化した分岐回路（対象回路）５が、第１電圧線４１及び中性線４３に接続された「第１分岐回路」、例えば分岐回路５１であったとする。このとき、分岐回路５１の通電状態の変化に起因して、第１電圧線４１及び中性線４３を通して分岐回路５１を流れる分岐電流に変化が生じる。そして、この電流変化により分岐電流に表れる特徴量は、第２電圧線４２には表れず、第１電圧線４１のみに表れる。つまり、「第１分岐回路」において通電状態が変化した場合、分岐回路５の分岐電流の特徴量は、第１電流Ｉ１のみに含まれることになる。
【０１３１】
また、通電状態が変化した分岐回路５が、第２電圧線４２及び中性線４３に接続された「第２分岐回路」、例えば分岐回路５３であったとする。このとき、分岐回路５３の通電状態の変化に起因して、第２電圧線４２及び中性線４３を通して分岐回路５３を流れる分岐電流に変化が生じる。そして、この電流変化により分岐電流に表れる特徴量は、第１電圧線４１には表れず、第２電圧線４２のみに表れる。つまり、「第２分岐回路」において通電状態が変化した場合、分岐回路５の分岐電流の特徴量は、第２電流Ｉ２のみに含まれることになる。
【０１３２】
これに対して、通電状態が変化した分岐回路５が、第１電圧線４１及び第２電圧線４２に接続された「第３分岐回路」、例えば分岐回路５５であったとする。このとき、分岐回路５５の通電状態の変化に起因して、第１電圧線４１及び第２電圧線４２を通して分岐回路５５を流れる分岐電流に変化が生じる。そして、この電流変化により分岐電流に表れる特徴量は、第１電圧線４１及び第２電圧線４２の両方に表れる。つまり、「第３分岐回路」において通電状態が変化した場合、分岐回路５の分岐電流の特徴量は、第１電流Ｉ１及び第２電流Ｉ２の両方に含まれることになる。
【０１３３】
そして、判定装置３は、複数の分岐回路５のうち、分岐電流の特徴量が第１電流Ｉ１のみに含まれている分岐回路５について、「第１分岐回路」であると判定する。また、判定装置３は、複数の分岐回路５のうち、分岐電流の特徴量が第２電流Ｉ２のみに含まれている分岐回路５について、「第２分岐回路」であると判定する。さらに、判定装置３は、複数の分岐回路５のうち、分岐電流の特徴量が第１電流Ｉ１及び第２電流Ｉ２の両方に含まれている分岐回路５について、「第３分岐回路」であると判定する。なお、判定装置３は、複数の分岐回路５のうち、分岐電流の特徴量が第１電流Ｉ１及び第２電流Ｉ２のいずれにも含まれていない分岐回路５については、「第１分岐回路」と「第２分岐回路」と「第３分岐回路」とのいずれであるかを判定しない。
【０１３４】
（１．１．２）具体例
以下では、判定装置３での回路判定動作の具体例について、図１０及び図１１Ａ〜図１１Ｃを参照して説明する。図１０においては、横軸を時間軸として、第１電流Ｉ１、第２電流Ｉ２、及び対象回路（ここでは分岐回路５５）の分岐電流（ここでは「Ｉ１５」）の電流波形を表している。また、図１１Ａにおいては、横軸を周波数として、第１電流Ｉ１の周波数スペクトル（周波数ごとの強度）を表しており、図１１Ｂにおいては、第２電流Ｉ２の周波数スペクトルを表している。さらに、図１１Ｃにおいては、対象回路としての分岐回路５５の分岐電流Ｉ１５の周波数スペクトルを表している。ここで、本実施形態では、第１電流Ｉ１、第２電流Ｉ２、及び分岐電流Ｉ１５の周波数ごとの強度を、いわゆる高速フーリエ変換（Fast Fourier Transform：ＦＦＴ）により求めている。また、図１１Ａ〜図１１Ｃにおいて、ｆ１は基本周波数であり、ｆ３、ｆ５、ｆ７、ｆ９は、それぞれ第３次、第５次、第７次、第９次の高調波成分である。
【０１３５】
「第３分岐回路」である分岐回路５５において、時刻ｔ１のときに、通電状態がオフからオンに変化した場合、分岐回路５５には、図１０に示すように、分岐電流Ｉ１５が流れる。これに伴い、第１電圧線４１には、時刻ｔ１以降において、時刻ｔ１以前の第１電流Ｉ１に、分岐電流Ｉ１５を合成した第１電流Ｉ１が流れることになる。また、第２電圧線４２においても、時刻ｔ１以降において、時刻ｔ１以前の第２電流Ｉ２に、分岐電流Ｉ１５を合成した第２電流Ｉ２が流れることになる。
【０１３６】
判定装置３は、時刻ｔ１以降において判定期間Ｔ１（ｔ３−ｔ２）を設定し、判定期間Ｔ１における計測装置２の計測結果（電流）を用いて、第１電流Ｉ１、第２電流Ｉ２、及び分岐電流Ｉ１５の各々の周波数ごとの強度を抽出する。第１電流Ｉ１は、図１１Ａに示すように、基本周波数ｆ１に加えて、第３次、第５次、第７次、第９次の高調波成分ｆ３，ｆ５，ｆ７，ｆ９を有している。第２電流Ｉ２は、図１１Ｂに示すように、基本周波数ｆ１に加えて、第３次、第７次、第９次の高調波成分ｆ３，ｆ７，ｆ９を有している。対象回路としての分岐回路５５の分岐電流Ｉ１５は、図１１Ｃに示すように、基本周波数ｆ１に加えて、第７次、第９次の高調波成分ｆ７，ｆ９を有している。
【０１３７】
ここで、分岐電流Ｉ１５の第７次、第９次の高調波成分ｆ７，ｆ９は、第１電流Ｉ１及び第２電流Ｉ２の両方に含まれており、かつ第１電流Ｉ１、第２電流Ｉ２、及び分岐電流Ｉ１５の第７次、第９次の高調波成分ｆ７，ｆ９の強度は等しい。すなわち、この場合、分岐電流Ｉ１５の特徴量である第７次，第９次の高調波成分ｆ７，ｆ９が、第１電流Ｉ１及び第２電流Ｉ２の両方に含まれており、判定装置３は、対象回路としての分岐回路５が「第３分岐回路」であると判定する。
【０１３８】
また、「第１分岐回路」である分岐回路５１が対象回路である場合には、分岐電流Ｉ１１の特徴量が第１電流Ｉ１のみに含まれることになり、判定装置３は、対象回路としての分岐回路５１が「第１分岐回路」であると判定する。さらに、「第２分岐回路」である分岐回路５３が対象回路である場合には、分岐電流Ｉ１３の特徴量が第２電流Ｉ２のみに含まれることになり、判定装置３は、対象回路としての分岐回路５３が「第２分岐回路」であると判定する。
【０１３９】
（１．２）効果
本実施形態の回路判定システムによれば、第１電圧線４１及び第２電圧線４２を流れる第１電流Ｉ１及び第２電流Ｉ２と、複数の分岐回路５の各々を流れる分岐電流とを計測装置２が計測し、その計測結果を用いて、判定装置３が分岐回路５の種類を判定する。判定装置３では、複数の分岐回路５の各々を流れる分岐電流の特徴量が、第１電流Ｉ１及び第２電流Ｉ２の両方に含まれているか否かによって、分岐回路５の種類を判定する。
【０１４０】
また、判定装置３は、複数の分岐回路５の各々を流れる分岐電流の特徴量が第１電流Ｉ１及び第２電流Ｉ２の一方のみに含まれている場合、第１電流Ｉ１及び第２電流Ｉ２のどちらに含まれているかによって、分岐回路５の種類を判定する。
【０１４１】
したがって、この回路判定システムでは、計測装置２での計測結果（電流）を用いることにより、複数の分岐回路５の各々について、３種類の分岐回路（第１分岐回路、第２分岐回路、第３分岐回路）のいずれに当たるかを、自動的に判定することができる。その結果、特許文献１に記載されている情報担体などの部品を分岐ブレーカ６２に付加する必要がなく、分岐ブレーカ６２の部品点数の増加を抑えながらも、分岐回路５の種類を判定することができる、という利点がある。
【０１４２】
特に、回路判定システムが電力計測システム１に適用される場合には、電力計測用の計測装置２を、分岐回路５の種類の判定に利用することができる。したがって、既存の電力計測システム１の構成を利用することで、新たなハードウェア資源を追加しなくても、分岐回路５の種類を判定することが可能である。そして、電力計測システム１において、分岐回路５の種類（電圧区分）の設定が自動化されることで、施工業者が手動で設定を行う場合に比べ、設定し忘れや設定の間違いを減らすことができる。
【０１４３】
また、判定装置３は、複数の分岐回路５のうち、分岐電流の特徴量が第１電流Ｉ１のみに含まれている分岐回路５について、「第１分岐回路」であると判定する。さらに、判定装置３は、複数の分岐回路５のうち、分岐電流の特徴量が第２電流Ｉ２のみに含まれている分岐回路５について、「第２分岐回路」であると判定する。この構成によれば、分岐電流の特徴量が第１電流Ｉ１及び第２電流Ｉ２の一方のみに含まれている場合に、計測装置２の計測結果から、判定装置３は、判定対象となる対象回路を特定することができる。したがって、判定装置３は、計測装置２での計測結果のみから、いずれの分岐回路５が「第１分岐回路」又は「第２分岐回路」であるかを特定することができる。
【０１４４】
また、判定装置３は、複数の分岐回路５のうち、分岐電流の特徴量が第１電流Ｉ１及び第２電流Ｉ２の両方に含まれている分岐回路５について、「第３分岐回路」であると判定する。この構成によれば、分岐電流の特徴量が第１電流Ｉ１及び第２電流Ｉ２の両方に含まれている場合に、計測装置２の計測結果から、判定装置３は、判定対象となる対象回路を特定することができる。したがって、判定装置３は、計測装置２での計測結果のみから、いずれの分岐回路５が「第３分岐回路」であるかを特定することができる。
【０１４５】
また、本実施形態のように、第１電流Ｉ１の特徴量、第２電流Ｉ２の特徴量、及び分岐電流の特徴量は、電流の周波数スペクトルであることが好ましい。この構成によれば、分岐電流に含まれる周波数と同じ強度の周波数が第１電流Ｉ１、第２電流Ｉ２に含まれているか否かによって、分岐回路５の種類を判定することができる。
【０１４６】
また、本実施形態のように、上述した判定処理を複数回行うことが好ましい。この構成によれば、例えば「第３分岐回路」に含まれる機器（２００Ｖ機器）を動作させた場合、時間経過によって、分岐回路５を流れる電流の大きさだけでなく電流波形も変化する。そのため、判定処理を複数回行うことにより、例えば電源が投入されたときにのみ判定処理を行う場合に比べて、判定精度を向上させることができる。
【０１４７】
（１．３）回路判定方法、プログラム
以下の回路判定方法を採用することで、専用の計測装置２及び判定装置３を用いなくても、本実施形態の回路判定システムと同等の機能を実現できる。
【０１４８】
すなわち、回路判定方法は、分電盤６に用いられ、複数の分岐回路５の各々が、少なくとも「第１分岐回路」及び「第２分岐回路」と、「第３分岐回路」とのどちらであるかを判定する方法であって、判定ステップを含んでいる。判定ステップでは、第１電線（第１電圧線４１）を流れる第１電流Ｉ１、第２電線（第２電圧線４２）を流れる第２電流Ｉ２、及び複数の分岐回路５の各々を流れる分岐電流を計測する計測装置２の計測結果を用いて、複数の分岐回路５の各々の種類を判定する。判定ステップでは、計測装置２の計測結果を用いて、複数の分岐回路５の各々を流れる分岐電流の特徴量が、第１電流Ｉ１及び第２電流Ｉ２の両方に含まれているか否かによって、分岐回路５の種類を判定する。つまり、判定ステップでは、複数の分岐回路５の各々を流れる分岐電流の特徴量が、第１電流Ｉ１及び第２電流Ｉ２の両方に含まれているか否かによって、複数の分岐回路５の各々が「第１，第２分岐回路」と、「第３分岐回路」とのどちらであるかを判定する。
【０１４９】
この回路判定方法によれば、専用の計測装置２及び判定装置３を用いなくても、本実施形態の回路判定システムと同等の機能を実現でき、分岐ブレーカ６２の部品点数の増加を抑えながらも、分岐回路５の種類を判定することができる、という利点がある。
【０１５０】
また、判定装置３がコンピュータ（マイコンを含む）を主構成とする場合、コンピュータのメモリに記録されるプログラムは、分電盤６と共に用いられるコンピュータに判定処理を実行させるためのプログラムである。判定処理では、第１電線（第１電圧線４１）を流れる第１電流Ｉ１、第２電線（第２電圧線４２）を流れる第２電流Ｉ２、及び複数の分岐回路５の各々を流れる分岐電流を計測する計測装置２の計測結果を用いて、分岐回路５の種類を判定する。判定処理では、計測装置２の計測結果を用いて、複数の分岐回路５の各々を流れる分岐電流の特徴量が、第１電流Ｉ１及び第２電流Ｉ２の両方に含まれているか否かによって、分岐回路５の種類を判定する。つまり、判定処理では、複数の分岐回路５の各々を流れる分岐電流の特徴量が、第１電流Ｉ１及び第２電流Ｉ２の両方に含まれているか否かによって、複数の分岐回路５の各々が「第１，第２分岐回路」と、「第３分岐回路」とのいずれであるかを判定する。
【０１５１】
このプログラムによれば、専用の計測装置２及び判定装置３を用いなくても、本実施形態の回路判定システムと同等の機能を実現でき、分岐ブレーカ６２の部品点数の増加を抑えながらも、分岐回路５の種類を判定することができる、という利点がある。
【０１５２】
（１．４）変形例
（１．４．１）第１変形例
図１２を参照して本実施形態の第１変形例について説明する。
【０１５３】
第１変形例では、第１電流Ｉ１の特徴量、第２電流Ｉ２の特徴量、及び分岐回路５の分岐電流の特徴量は、電流波形である。図１２は、分岐回路５に接続された負荷を流れる電流の電流波形を表す波形図である。この場合、判定装置３は、第１電流Ｉ１の電流波形、第２電流Ｉ２の電流波形、及び分岐回路５の分岐電流の電流波形ＷＰ１を比較する際、例えばパターンマッチングにより一致度（合致度）を数値化して求める。そして、判定装置３は、一致度が閾値以上であれば、電流波形が一致すると判定する。
【０１５４】
その結果、分岐電流の電流波形ＷＰ１が、第１電流Ｉ１の電流波形及び第２電流Ｉ２の電流波形の一方のみに一致していれば、判定装置３は、対象の分岐回路５が「第１分岐回路」又は「第２分岐回路」であると判定する。一方、分岐電流の電流波形ＷＰ１が、第１電流Ｉ１の電流波形及び第２電流Ｉ２の電流波形の両方に一致していれば、判定装置３は、対象の分岐回路５が「第３分岐回路」であると判定する。この構成によれば、判定装置３は、電流波形の一致度によって、分岐回路５の種類を判定することができる。
【０１５５】
また、第１電流Ｉ１の特徴量、第２電流Ｉ２の特徴量、及び分岐回路５の分岐電流の特徴量は、図１２に示すように、電流波形から求められる所定の電流値での信号幅Ｗ１や波高値Ｐ１などであってもよい。これらの場合、判定装置３は、分岐回路５の分岐電流の特徴量である信号幅Ｗ１や波高値Ｐ１が、第１電流Ｉ１の電流波形及び第２電流Ｉ２の電流波形の両方に含まれているか否かによって、分岐回路５の種類を判定する。すなわち、分岐電流の信号幅Ｗ１や波高値Ｐ１が、第１電流Ｉ１の電流波形及び第２電流Ｉ２の電流波形のいずれか一方のみに含まれていれば、判定装置３は、対象の分岐回路５が「第１分岐回路」又は「第２分岐回路」であると判定する。一方、分岐電流の信号幅Ｗ１や波高値Ｐ１が、第１電流Ｉ１の電流波形及び第２電流Ｉ２の電流波形の両方に含まれていれば、判定装置３は、対象の分岐回路５が「第３分岐回路」であると判定する。この構成によれば、分岐回路５の分岐電流の信号幅Ｗ１や波高値Ｐ１が、第１電流Ｉ１の電流波形、第２電流Ｉ２の電流波形に含まれているか否かによって、分岐回路５の種類を判定することができる。
【０１５６】
（１．４．２）その他の変形例
本実施形態では、第１電流Ｉ１、第２電流Ｉ２、及び対象の分岐回路５の分岐電流について、周波数ごとの強度を比較している。これに対して、分岐電流に含まれる周波数のうち、隣り合う周波数の強度の差分を求め、この差分が第１電流Ｉ１及び第２電流Ｉ２に含まれているか否かによって、分岐回路５の種類を判定してもよい。例えば、図１１Ａ〜図１１Ｃにおいては、第１電流Ｉ１、第２電流Ｉ２、及び分岐回路５の分岐電流の各々について、第７次、第９次の高調波成分ｆ７，ｆ９の強度の差分を求める。判定装置３は、分岐回路５の分岐電流の差分が、第１電流Ｉ１の差分及び第２電流Ｉ２の差分のいずれか一方のみに一致していれば、対象の分岐回路５が「第１分岐回路」又は「第２分岐回路」であると判定する。一方、分岐回路５の分岐電流の差分が、第１電流Ｉ１の差分及び第２電流Ｉ２の差分の両方に一致していれば、判定装置３は、対象の分岐回路５が「第３分岐回路」であると判定する。ここで、差分が一致するとは、２つの差分が完全に一致する場合だけでなく、２つの差分の差が閾値内にある場合も含まれる。この構成によれば、判定装置３は、第１電流Ｉ１の特徴量、第２電流Ｉ２の特徴量、及び分岐回路５の分岐電流の特徴量としての差分が一致するか否かによって、分岐回路５の種類を判定することができる。
【０１５７】
また、分岐回路５の分岐電流に含まれる周波数のうち、強度が閾値を超える周波数が、第１電流Ｉ１及び第２電流Ｉ２の両方に含まれているか否かによって、分岐回路５の種類を判定してもよい。例えば、図１１Ａ〜図１１Ｃにおいて、分岐回路５の分岐電流に含まれる第３次、第５次、第７次、第９次の高調波成分ｆ３，ｆ５，ｆ７，ｆ９のうち、強度が閾値を超えているのが第７次の高調波成分ｆ７であるとする。この場合、判定装置３は、第１電流Ｉ１及び第２電流Ｉ２のいずれか一方のみで第７次の高調波成分ｆ７が閾値を超えていれば、対象の分岐回路５が「第１分岐回路」又は「第２分岐回路」であると判定する。一方、第１電流Ｉ１及び第２電流Ｉ２の両方で第７次の高調波成分ｆ７が閾値を超えていれば、判定装置３は、対象の分岐回路５が「第３分岐回路」であると判定する。この構成によれば、判定装置３は、分岐回路５の分岐電流に含まれる周波数のうち、強度が閾値を超える周波数が、第１電流Ｉ１及び第２電流Ｉ２に含まれているか否かによって、分岐回路５の種類を判定することができる。
【０１５８】
さらに、本実施形態では、判定装置３は、対象回路が「第１分岐回路」と「第２分岐回路」とのどちらであるかを判定する際に、分岐電流の特徴量が第１電流Ｉ１及び第２電流Ｉ２のいずれに含まれているか否かによって判定している。これに対して、判定装置３は、第１期間と第２期間との間で生じる電流の変化を電流変化とし、分岐電流の電流変化が第１電流の電流変化と第２電流Ｉ２の電流変化とのいずれに一致するかによって、分岐回路５の種類を判定するように構成されていてもよい。この構成によれば、第１電流Ｉ１及び第２電流Ｉ２の電流変化と分岐電流の電流変化とを比較するだけで、判定装置３は、対象回路が「第１分岐回路」と「第２分岐回路」とのどちらであるかを判定することができる。
【０１５９】
さらに、本実施形態で説明した構成は、実施形態１の変形例とも、適宜組み合わせて適用可能である。
【０１６０】
（実施形態３）
本実施形態の回路判定システムは、判定装置３が、分岐回路５を流れる分岐電流の大きさを、分岐回路５の種類を判定するための条件に用いる点で、実施形態１の回路判定システムと相違する。以下、実施形態１と同様の構成については、共通の符号を付して適宜説明を省略する。
【０１６１】
すなわち、一般的に、１００〔Ｖ〕が印加される「第１分岐回路」及び「第２分岐回路」と、２００〔Ｖ〕が印加される「第３分岐回路」とでは、「第３分岐回路」の方が大きな電流が流れる（つまり、電流容量が大きい）。そこで、本実施形態では、判定装置３は、複数の分岐回路５の各々を流れる分岐電流の大きさから、「第３分岐回路」かどうかの当たりをつけ、分岐回路５の種類を判定する。
【０１６２】
本実施形態では、判定装置３は、第１電流Ｉ１の電流変化と第２電流Ｉ２の電流変化とが一致する場合、複数の分岐回路５のうち分岐電流の大きな分岐回路５から順に、「第３分岐回路」であるか否かを判定するように構成されている。ここでは、実施形態１で説明したように、判定装置３が、分岐電流の電流変化が第１電流Ｉ１及び第２電流Ｉ２の両方の電流変化と一致する分岐回路５については、「第３分岐回路」であると判定することを前提としている。要するに、判定装置３は、第１電流Ｉ１の電流変化と第２電流Ｉ２の電流変化とが一致する場合、複数の分岐回路５の各々の分岐電流を用いて、「第３分岐回路」である対象回路を特定する。このとき、判定装置３は、分岐電流の大きな分岐回路５から順に、分岐電流の電流変化を、第１電流Ｉ１及び第２電流Ｉ２の電流変化と比較する。
【０１６３】
この構成によれば、判定装置３では、分岐電流の大きな分岐回路５、つまり「第３分岐回路」である可能性が高い分岐回路５から順に、優先的に「第３分岐回路」であるか否を判定できるので、「第３分岐回路」である対象回路を特定するまでの処理を少なくできる。また、偶然、同じタイミングで「第１分岐回路」又は「第２分岐回路」と「第３分岐回路」とで通電状態が変化した場合でも、判定装置３では、分岐電流の大きな分岐回路５から先に判定を行うため、誤判定を低減でき、判定精度が向上する。
【０１６４】
また、本実施形態の他の構成として、判定装置３は、複数の分岐回路５のうち分岐電流が所定の閾値以下の分岐回路５については、「第３分岐回路」であるとの判定を無効にするように構成されていてもよい。つまり、分岐電流の大きさが閾値以下であるような分岐回路５は、「第１分岐回路」又は「第２分岐回路」である蓋然性が高いため、このような分岐回路５については、判定装置３は「第３分岐回路」との判定を無効にする。この場合において、判定装置３は、「第３分岐回路」との判定を無効にした分岐回路５についても、複数回、連続して「第３分岐回路」と判定した場合には、「第３分岐回路」との判定結果を出すように構成されていることが好ましい。
【０１６５】
この構成によれば、判定装置３では、分岐電流の小さな分岐回路５、つまり「第３分岐回路」である可能性が低い分岐回路５については、「第３分岐回路」との判定が無効になるので、誤判定を低減することができる。したがって、判定精度が向上する、という利点がある。
【０１６６】
なお、上記構成の他にも、例えば判定装置３は、分岐電流が所定の閾値より大きな分岐回路５のみに、「第３分岐回路」であるか否かの判定対象を絞り込んでもよい。また、判定装置３は、複数の分岐回路５の各々を流れる分岐電流の大きさから、「第１分岐回路」又は「第２分岐回路」かどうかの当たりをつけ、分岐回路５の種類を判定する構成であってもよい。
【０１６７】
その他の構成及び機能は実施形態１と同様である。なお、本実施形態で説明した構成は、実施形態１の変形例とも、適宜組み合わせて適用可能である。
【符号の説明】
【０１６８】
２  計測装置
３  判定装置
４  電力線
４１  第１電圧線（第１電線）
４２  第２電圧線（第２電線）
４３  中性線（第３電線）
５，５１〜５７  分岐回路
６  分電盤
１２  記憶装置
１３  設定装置
Ｉ１  第１電流
Ｉ２  第２電流
Ｉ１１〜Ｉ１７  分岐電流
【図１】
2018085829.tif 000003
【図２】
2018085829.tif 000004
【図３】
2018085829.tif 000005
【図４】
2018085829.tif 000006
【図５】
2018085829.tif 000007
【図６】
2018085829.tif 000008
【図７】
2018085829.tif 000009
【図８】
2018085829.tif 000010
【図９】
2018085829.tif 000011
【図１０】
2018085829.tif 000012
【図１１】
2018085829.tif 000013
【図１２】
2018085829.tif 000014